(57)【要約】【課題】簡易な構成で小径ディスクを安定的にクランプでき、かつクランプの信頼性も高いディスク再生装置を提供すること。【解決手段】ディスク１１に接触して、該ディスク１１の搬入および搬出を行うディスク搬送機構と、大径ディスク１１の搬入の場合よりも小径ディスク１１ａの搬入の場合の方が、クランプレバー側、すなわち上方側に向かうようにガイドされるディスクガイド手段とを具備する。そして、小径ディスク１１ａが搬入されたときにその先端側を保持し、この小径ディスク１１ａの搬入に際しては該搬入に伴なって移動すると共に、クランパによるチャッキングに際しては小径ディスク１１ａの先端側の保持を解除して退避する先端保持手段５０を具備する。また、先端保持手段５０は、大径ディスク１１ｂが搬入されたときには、大径ディスク１１ｂから離れている。【選択図】  図５
2004272985.tif 000002
【特許請求の範囲】
【請求項１】
大径ディスク又は小径ディスクを載置するターンテーブルを具備すると共に、このターンテーブルに載置された大径ディスク又は小径ディスクをチャッキングするクランパをクランプレバーが具備するディスク再生装置において、
上記大径ディスク又は上記小径ディスクに接触して、これら大径ディスク又は小径ディスクの搬入および搬出を行うディスク搬送機構と、
上記大径ディスクの搬入の場合よりも上記小径ディスクの搬入の場合の方が、ディスク先端を上記クランプレバー側に向かうようにガイドさせるディスクガイド手段と、
上記小径ディスクが搬入されたときに上記小径ディスクの搬入の先端側を保持し、この小径ディスクの上記ディスク搬送機構による搬入に際しては該搬入に伴なって移動すると共に、上記クランパによる上記ターンテーブルへの上記小径ディスクのチャッキングの直前以後またはチャッキング以後は該小径ディスクの先端側の保持を解除して退避する先端保持手段と、
を具備し、上記先端保持手段は、上記大径ディスクが搬入されたときには、該大径ディスクから離れていることを特徴とするディスク再生装置。
【請求項２】
ディスクを載置するターンテーブルを具備すると共に、このターンテーブルに載置されたディスクをチャッキングするクランパをクランプレバーが具備するディスク再生装置において、
上記ディスクの搬入および搬出を行うディスク搬送機構と、
上記ディスクが搬入されたときに上記ディスクの搬入の先端側を保持し、このディスクの上記ディスク搬送機構による搬入に際しては該搬入に伴なって移動すると共に、上記クランパによる上記ターンテーブルへの上記ディスクのチャッキングの直前以後またはチャッキング以後は該ディスクの先端側の保持を解除して退避する先端保持手段と、
を具備することを特徴とするディスク再生装置。
【請求項３】
前記先端保持手段は、前記クランプレバーに対して回転軸を中心に回動自在とする回動部材の一端側に設けられていることを特徴とする請求項１又は２記載のディスク再生装置。
【請求項４】
前記先端保持手段は、前記小径ディスクの外周縁部に当接するディスク当接部と、前記小径ディスクのうち前記クランパとは反対側の裏面を受け止めるディスク受け部と、を具備することを特徴とする請求項１記載のディスク再生装置。
【請求項５】
前記回動部材には、前記大径ディスクが搬入された場合に、この大径ディスクの搬入の先端側に係合して、該大径ディスクの搬入に伴なって前記回動部材を回動させるディスク係合部が設けられていることを特徴とする請求項４記載のディスク再生装置。
【請求項６】
前記回動部材は、該回動部材の回動によってスライド部材をスライドさせることを可能としており、このスライド部材が一定距離スライドすることで、上記スライド部材をスライドさせるための駆動力を与えるスライド用駆動伝達手段から駆動力が伝達可能となることを特徴とする請求項３記載のディスク再生装置。
【請求項７】
前記スライド部材は、このスライド部材のスライドによって、前記クランプレバーを前記ターンテーブルに対して近接又は離間させるためのカム機構に連結されていることを特徴とする請求項６記載のディスク再生装置。
【請求項８】
前記ディスク搬送機構は、前記ディスクに接触する搬送ローラを具備していて、
前記スライド部材は、このスライド部材のスライドによって上記搬送ローラを回動させるための第２のカム機構に連結されていて、
上記カム機構による上記搬送ローラの回動によって、前記ディスクが前記ターンテーブルに対して近接又は離間することを特徴とする請求項６又は７記載のディスク再生装置。
【請求項９】
前記第２のカム機構による前記搬送ローラの回動によって、この搬送ローラを駆動する駆動力の伝達と非伝達とが切り替えられる駆動力伝達切替機構を具備することを特徴とする請求項８記載のディスク再生装置。
【請求項１０】
前記クランパが前記ディスクに接触するときに、前記駆動力伝達切替機構によって前記搬送ローラへの駆動力が非伝達となることを特徴とする請求項８又は９記載のディスク再生装置。
【請求項１１】
前記クランパが前記ディスクに接触するときに、前記ターンテーブルに前記ディスクが載置されることを特徴とする請求項１０記載のディスク再生装置。
【発明の詳細な説明】
【０００１】
【発明の属する技術分野】
本発明は、ディスク再生装置に関する。
【０００２】
【従来の技術】
市販されているＣＤ（コンパクトディスク）等のディスクとしては、直径が１２ｃｍの大径ディスクと、直径が８ｃｍの小径ディスクの２種類がある。そのため、近年のスロットイン方式のディスク再生装置には、異なる直径のディスクが内部に搬入された場合でも、夫々の直径のディスクに対応したローディング終了位置を、機構的に切り替える機能を備えるものがある。なお、このスロットイン方式のディスク再生装置は、カーオーディオ等で一般に採用されているものである。
【０００３】
ところで、上述のローディング終了位置を、機構的に切り替える概略構成としては、図２５に示すものがある。この構成では、小径ディスク１ａが挿入された場合の位置決め位置を、位置決めピン２で規定している。また、大径ディスク１ｂが挿入された場合には、該大径ディスク１ｂの外周側へ、位置決めピン２を逃がしている。
【０００４】
かかる構成の例としては、特開平１１−８６４１５号公報（特許文献１）に記載のものがある。この公報記載の構成では、大径のディスクが挿入された場合に、開閉アーム（位置決めピン）が開閉して、該大径のディスクの外周縁部を逃がす構成が開示されている。また、この構成では、小径のディスクが挿入された場合には、位置決めピンの初期位置で、該小径のディスクを受け止める構成となっている。すなわち、この構成では、位置決めピンは、小径のディスク挿入の際のストッパとして機能すると共に、大径ディスクの挿入の際には、ストッパとしての位置決めピンを逃がしている。
【０００５】
また、ローディング終了位置を、機構的に切り替える機構の他の例としては、図２６および図２７に示すものがある。この構成では、クランプレバー３に位置決めピン２が取り付けられている。クランプレバー３がターンテーブル４側へ回動する前には、図２６（ａ）に示すように、位置決めピン２で小径ディスク１ａの先端を受け止めることが可能である。また、クランプレバー３がターンテーブル４側へ回動した後には、図２６（ｂ）に示すように、位置決めピン２が小径ディスク１ａから離間する。
【０００６】
また、大径ディスク１ｂが搬入される場合においては、図２７（ａ），（ｂ）に示すように、クランプレバー３の回動の前後において、位置決めピン２が大径ディスク１ｂの先端に接触しない。すなわち、大径ディスク１ｂを挿入しても、位置決めピン２とこの大径ディスク１ｂとが干渉せず、上方へ位置決めピン２が逃がされている。
【０００７】
また、位置決めピン２を逃がす構成の例としては、特開平５−１５１６７７号公報（特許文献２）記載のものがある。この公報記載の構成では、当接部材の回動により、大径ディスクの挿入の際に、該当接部材と大径ディスクとが干渉しない構成が開示されている。すなわち、この公報記載の構成では、小径のディスクが挿入された場合に、ストッパ部材に存在する当接部材がロックされて、該小径のディスクを規定位置で受け止める。これと共に、大径のディスクが挿入された場合には、ストッパ部材が回動して当接部材を上方に逃がし、該大径のディスクの挿入の際に干渉しないようにしている。
【０００８】
【特許文献１】
特開平１１−８６４１５号公報（段落番号０１５８〜０１６０、図１５、図１６、図２０、図２１参照）
【特許文献２】
特開平５−１５１６７７号（段落番号００３８〜００４４、図３〜図９参照）
【０００９】
【発明が解決しようとする課題】
ところで、図２５や特開平１１−８６４１５号公報記載の構成では、ストッパとなる位置決めピン２を、ディスクの径に応じて大きく移動させる必要がある。すなわち、位置決めピン２は、８ｃｍの小径ディスク１ａの挿入の際のストッパとなるが、現状で最も多く使用されている１２ｃｍの大径ディスク１ｂを挿入した場合には、位置決めピン２がメカ的に大きく動作する。このように、使用頻度の高い大径ディスク１ｂの挿入の度ごとに、位置決めピン２がメカ的に大きく動作するので、使用していく（繰り返し使用する）うちに、動作に不具合が生じる可能性がある。
【００１０】
また、この構成では、位置決めピン２を逃がすための機構が必要となり、部品点数が増えてコストがかさむ、という問題も生じる。
【００１１】
また、図２６と図２７、および特開平５−１５１６７７号公報記載の構成では、小径ディスク１ａの挿入に際して、図２６（ａ）の状態から、（ｂ）の状態への移行時に、位置決めピン２を上方に逃がしている。このため、小径ディスク１ａの搬送が終了してターンテーブル４にクランプされるまでの間に、位置決めピン２と小径ディスク１ａが離れ、かつターンテーブル４から小径ディスク１ａが離れている不安定な瞬間が存在してしまう。
【００１２】
加えて、小径ディスク１ａのローディング終了位置において、ローディングのための動力を切断すると共に、さらにターンテーブル４に小径ディスク１ａをクランプしなければならない。ここで、特開平５−１５１６７７号公報記載の構成では、搬送ローラの上下移動を行わずに、ターンテーブルへの小径ディスクのクランプを行っているため、機構的に複雑なものとなっている。また、機構の複雑化により、メカ的な信頼性も低下し、さらにコストもかかるものとなっている。
【００１３】
本発明は上記の事情にもとづきなされたもので、その目的とするところは、簡易な構成で小径ディスクを安定的にクランプでき、かつクランプの信頼性も高いディスク再生装置を提供しよう、とするものである。
【００１４】
【課題を解決するための手段】
上記課題を解決するために、本発明は、大径ディスク又は小径ディスクを載置するターンテーブルを具備すると共に、このターンテーブルに載置された大径ディスク又は小径ディスクをチャッキングするクランパをクランプレバーが具備するディスク再生装置において、大径ディスク又は小径ディスクに接触して、これら大径ディスク又は小径ディスクの搬入および搬出を行うディスク搬送機構と、大径ディスクの搬入の場合よりも小径ディスクの搬入の場合の方が、ディスク先端をクランプレバー側に向かうようにガイドさせるディスクガイド手段と、小径ディスクが搬入されたときに小径ディスクの搬入の先端側を保持し、この小径ディスクのディスク搬送機構による搬入に際しては該搬入に伴なって移動すると共に、クランパによるターンテーブルへの小径ディスクのチャッキングの直前以後またはチャッキング以後は該小径ディスクの先端側の保持を解除して退避する先端保持手段と、を具備し、先端保持手段は、大径ディスクが搬入されたときには、該大径ディスクから離れているものである。
【００１５】
また、他の発明は、ディスクを載置するターンテーブルを具備すると共に、このターンテーブルに載置されたディスクをチャッキングするクランパをクランプレバーが具備するディスク再生装置において、ディスクの搬入および搬出を行うディスク搬送機構と、ディスクが搬入されたときにディスクの搬入の先端側を保持し、このディスクのディスク搬送機構による搬入に際しては該搬入に伴なって移動すると共に、クランパによるターンテーブルへのディスクのチャッキングの直前以後またはチャッキング以後は該ディスクの先端側の保持を解除して退避する先端保持手段と、を具備するものである。
【００１６】
さらに、他の発明は、上述発明に加えて更に、先端保持手段は、クランプレバーに対して回転軸を中心に回動自在とする回動部材の一端側に設けられているものである。
【００１７】
また、他の発明は、上述の各発明に加えて更に、先端保持手段は、小径ディスクの外周縁部に当接するディスク当接部と、小径ディスクのうちクランパとは反対側の裏面を受け止めるディスク受け部と、を具備するものである。
【００１８】
さらに、他の発明は、上述の各発明に加えて更に、回動部材には、大径ディスクが搬入された場合に、この大径ディスクの搬入の先端側に係合して、該大径ディスクの搬入に伴なって回動部材を回動させるディスク係合部が設けられているものである。
【００１９】
また、他の発明は、上述の各発明に加えて更に、回動部材は、該回動部材の回動によってスライド部材をスライドさせることを可能としており、このスライド部材が一定距離スライドすることで、スライド部材をスライドさせるための駆動力を与えるスライド用駆動伝達手段から駆動力が伝達可能となるものである。
【００２０】
さらに、他の発明は、上述の発明に加えて更に、スライド部材は、このスライド部材のスライドによって、クランプレバーをターンテーブルに対して近接又は離間させるためのカム機構に連結されているものである。
【００２１】
また、他の発明は、上述の各発明に加えて更に、ディスク搬送機構は、ディスクに接触する搬送ローラを具備していて、スライド部材は、このスライド部材のスライドによって搬送ローラを回動させるための第２のカム機構に連結されていて、カム機構による搬送ローラの回動によって、ディスクがターンテーブルに対して近接又は離間するものである。
【００２２】
さらに、他の発明は、上述の発明に加えて更に、第２のカム機構による搬送ローラの回動によって、この搬送ローラを駆動する駆動力の伝達と非伝達とが切り替えられる駆動力伝達切替機構を具備するものである。
【００２３】
また、他の発明は、上述の各発明に加えて更に、クランパがディスクに接触するときに、駆動力伝達切替機構によって搬送ローラへの駆動力が非伝達となるものである。
【００２４】
さらに、他の発明は、上述の発明に加えて更に、クランパがディスクに接触するときに、ターンテーブルにディスクが載置されるものである。
【００２５】
【発明の実施の形態】
以下、本発明のディスク再生装置の一実施の形態について、図１から図２４に基づいて説明する。図１は、本発明のディスク再生装置１０の構成を示す分解斜視図である。このディスク再生装置１０は、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）等のディスク１１（図２、図３他参照）を再生するものである。
【００２６】
このディスク１１には、直径が８ｃｍの小径ディスク１１ａ（図２（ｂ）他参照）と、直径が１２ｃｍの大径ディスク１１ｂ（図２（ａ）他参照）とがある。これら小径ディスク１１ａ、および大径ディスク１１ｂの中心部分には、共に孔部１１ｃが空いている（図１３参照）。そして、この孔部１１ｃに対して、後述するクランパ３５の凸部が差し込まれる。
【００２７】
なお、以下の説明では、小径ディスク１１ａと大径ディスク１１ｂとをまとめてディスク１１ともいう場合がある。また、ディスク再生装置１０で再生されるディスク１１（記録媒体）は、ＣＤやＤＶＤ（Ｄｉｇｉｔａｌ  Ｖｅｒｓａｔｉｌｅ  Ｄｉｓｃ）には限られず、ＣＤ−ＲやＤＶＤ−Ｒ、ＤＶＤ−ＲＷ等の他の円盤状体を有する記録媒体でも良い。
【００２８】
また、以下の説明では、上側（上方側）とは、ディスク再生装置１０の内部に搬入されたディスク１１から見て、後述するクランプレバー３０側を指す（図４参照）。また、下側（下方側）とは、ディスク再生装置１０の内部に搬入されたディスク１１から見て、後述するターンテーブル３７側（メインシャーシ１８の底面１８ａ側（図２２参照））を指すものとする。さらに、奥側とは、ディスク１１がディスク再生装置１１の内部に搬入される際の該ディスク１１の進行方向の側を指し、手前側とは、ディスク１１がディスク再生装置１１の内部から排出される際のディスク１１の進行方向の側（ディスク差込口１９側）を指すものとする。
【００２９】
ディスク再生装置１０は、図１に示すように、アウターシャーシ部材１２と、フロントシャーシ部材１３と、ディスクガイド部材１４と、フローティング部材１５と、ローラレバー部材１６と、メカ基板１７とを有している。フローティング部材１５は、メインシャーシ１８を備えている。このメインシャーシ１８に、ディスクガイド部材１４、ローラレバー部材１６、メカ基板１７、および後述するクランプアーム３０等の各種部材が取り付けられる。
【００３０】
また、アウターシャーシ部材１２は、その側壁２０ａ，２０ｂでダンパ２１及びバネ２２を介してフローティング部材１５を支持している。本実施の形態では、該フローティング部材１５の４隅の近傍に、夫々１つずつ、計４つのダンパ２１及びバネ２２が設けられている。ダンパ２１には、差込穴２１ａが設けられていて、フローティング部材１５の支持軸２３が差し込まれる。支持軸２３は、フローティング部材１５側に存するピン状部材であり、フローティング部材１５から側方に向かって突出している。かかるダンパ２１の弾性変形が、該バネ２２の弾性力に抗する抵抗となる。
【００３１】
また、バネ２２は、その一端側がアウターシャーシ部材１２のバネ係止部２４に掛け止めされると共に、その他端側は、フローティング部材１５のバネ係止部２５に掛け止めされる。それにより、フローティング部材１５は、アウターシャーシ部材１２に対してフローティング状態で支持されることを可能としている。なお、後述するように、フローティング状態を切り替える機構（ロックアーム１６０、リアロックアーム１９０等）によって、アウターシャーシ部材１２に対するフローティング部材１５のフローティング状態、および固定状態が切替可能となっている。
【００３２】
また、図１に示すように、アウターシャーシ部材１２の開放側面には、例えばネジ２６ａ等によってフロントシャーシ部材１３が取り付けられる。フロントシャーシ部材１３は、アウターシャーシ部材１２との間で、ディスク差込口１９を形成する部分である。すなわち、このフロントシャーシ部材１３の取付部位が、ディスク再生装置１０における前面側となり、ここに形成されるディスク差込口１９からディスク１１の差し込みを行える。
【００３３】
フローティング部材１５には、手前側（ディスク差込口１９側）の上方を覆うように、例えばネジ２６ｂ等の固定手段によってディスクガイド部材１４が取り付けられる。ディスクガイド部材１４は、ディスクガイド手段としての機能を有していて、大径ディスク１１ｂおよび小径ディスク１１ａのディスク再生装置１０の内部への搬入をガイドするものである。
【００３４】
ここで、図２に示すように、ディスクガイド部材１４は、小径ディスク１１ａと大径ディスク１１ｂの搬入を切り分けることを可能としている。すなわち、大径ディスク１１ｂの搬入の場合には、図２（ａ）に示すように、ディスクガイド部材１４の側面側に存在する大径ディスクガイド部２７によって、搬入の先端部分（ディスク再生装置１０の奥側）が小径ディスク１１ａ搬入の場合よりも、下方側に位置する。
【００３５】
また、小径ディスク１１ａ搬入の場合には、図２（ｂ）に示すように、大径ディスク１１ｂの搬入の場合と比較すると、ディスクガイド部材１４の中央側に存在する小径ディスクガイド部２８によって、小径ディスク１１ａの搬入の先端部分が、上方側に位置する。すなわち、図２に示すように、各ディスク１１ａ，１１ｂが水平であった場合の該ディスク１１ａ，１１ｂの上面の延長線を延長線Ｌとすると、この延長線Ｌに対する大径ディスク１１ｂの先端部での上面との距離ｇ１が、小径ディスク１１ａの先端部での上面との距離ｇ２に比べ大きくなっている。
【００３６】
なお、図１および図２に示すように、ディスクガイド部材１４は、ディスク１１の搬入の中央部よりも、側方部が、断面形状が長くなっている。図２では、夫々ディスク１１の搬入方向に沿った、大径ディスクガイド部２７の側断面図（図２（ａ））、および小径ディスクガイド部２８の側断面図（図２（ｂ））を示している。図２（ａ）は、ディスクガイド部材１４の両側方部分の断面図で、図２（ｂ）は、ディスクガイド部材１４の略中央の断面図である。
【００３７】
また、ディスクガイド部材１４の取り付けに先立って、フローティング部材１５には、ローラレバー部材１６が取り付けられる。ローラレバー部材１６は、図１に示すように、フローティング部材１５のうち、手前側に取り付けられる。このローラレバー部材１６は、後述するように、回転軸１４０（図１４参照）を中心として回動するものであり、それによって、ディスク１１に対して当接する搬送状態とディスク１１から離れるチャッキング状態とを切り替え可能としている。
【００３８】
また、フローティング部材１５の下面側には、例えばネジ２６ｃ等により、メカ基板１７が取り付けられる。このメカ基板１７は、例えばスピンドルモータ３８（図２３参照）といった、フローティング部材１５に存在するメカ的な機構を支持するためのものである。
【００３９】
このフローティング部材１５には、図３に示すような、クランプレバー組立体（以下、クランプレバー３０と呼ぶ。）が、該クランプレバー３０の回動支点３１及び一対の回動軸３２（図４参照）を介して回動自在に支持されている。回動支点３１は、クランプレバー３０の両側部分に存する孔部分（不図示）を有するものであり、この孔部分に、フローティング部材１５側に設けられている回動軸３２が挿通される。それによって、このクランプレバー３０がフローティング部材１５に対して回動自在となっている。
【００４０】
クランプレバー３０には、板バネ３３が取り付けられている。板バネ３３は、図３に示すように、クランプレバー３０が取り付けられている一端側と反対側の他端側が突出ピン３４となっていて、この突出ピン３４が、後述するカム部材８３に形成されたカム溝８６を摺動する構成となっている。そして、この摺動により、クランプレバー３０は回動支点３１を中心として、図３の紙面と垂直方向（法線方向）に回動することを可能としている。なお、この突出ピン３４と、カム部材８３とによって、カム機構が構成されている。
【００４１】
また、クランプレバー３０には、ディスク１１をターンテーブル３７（図２３参照）に対して圧接させるためのクランパ３５が設けられている。このクランパ３５は、取付金具３５ａによって回転自在に取り付けられている。また、クランパ３５には、不図示の凸部が設けられていて、この凸部がディスク１１の孔部１１ｃに差し込まれる。そして、かかるクランパ３５でディスク１１を圧接することにより、ディスク１１がターンテーブル３７上に圧接した状態となる。
【００４２】
なお、クランパ３５には、かかる凸部を設けずに、単にディスク１１の上面に接触する構成としても良い。この場合は、ターンテーブル３７側に、凸部等の孔部１１ｃと嵌合するための構成を設ければ良い。
【００４３】
また、図２３に示すように、ディスク１１を載置可能なターンテーブル３７は、スピンドルモータ３８の回転軸（不図示）に取り付けられている。そして、ディスク１１の圧接状態で、ターンテーブル３７がスピンドルモータ３８によって回転駆動されると、ディスク１１及びこのディスク１１を圧接しているクランパ３５が回転駆動され、該ディスク１１の再生が行える状態となる。
【００４４】
図３に示すように、このクランプレバー３０には、その中央部分に、ディスク１１の挿入方向に倣って湾曲孔３６が形成されている。この湾曲孔３６はクランプレバー３０を上下方向に貫通している。それにより、後述するトリガアーム４０の一端側に設けられているクランプ爪５０（図５参照）を、ターンテーブル３７側に突出させることが可能である。ここで、クランプ爪５０は、後述するように、トリガアーム４０の回転軸４０ａを中心として揺動するものである。そのため、かかる揺動に対応させて、湾曲孔３６は、その平面形状が略円弧形状となるように形成されている。
【００４５】
なお、本実施の形態では、湾曲孔３６は、ディスク再生装置１０の幅方向のうち、略中央部分を貫く中心線Ｌ（図３参照）にほぼ沿うように形成されている。
【００４６】
図３に示すように、このクランプレバー３０には、回転軸４０ａを中心として揺動可能に、回動部材としてのトリガアーム４０が取り付けられている。トリガアーム４０は、回転軸４０ａを境にして、図３中左側が第１の揺動部４１、図３中右側（トリガスライダ６１側）が第２の揺動部４２とに分けられる。
【００４７】
また、トリガアーム４０は、本実施の形態では、その平面形状が長尺の湾曲形状を為している。また、このトリガアーム４０に対して、回転軸４０ａは、後述するトリガスライダ６１側（図５、図７参照）に偏心して取り付けられている。すなわち、第１の揺動部４１側が、第２の揺動部４２側よりも長くなるように設けられている。それによって、第１の揺動部４１側は、後述する大径ディスク１１ｂおよび小径ディスク１１ａの搬入に対応して揺動し、さらに第２の揺動部４２は、トリガスライダ６１側でのスライドを引き起こすために適切な範囲の揺動を行う。
【００４８】
第１の揺動部４１のうち、回転軸４０ａ側であって、かつ奥側には、下方に向かってディスク係合部４３が設けられている（図３、図５参照）。このディスク係合部４３は、大径ディスク１１ｂの外周縁部（先端側）を受け止める部分であり、そのため後述するクランプ爪５０よりも下方側に突出して設けられている。また、第１の揺動部４１のうち、その突出端部側には、先端保持手段としてのクランプ爪５０が設けられている。クランプ爪５０は、トリガアーム４０の下面側（メカ基板１７側）に向かって突出する突出部４４に取り付けられている（図６参照）。突出部４４は、小径ディスク１１ａの外周縁部を、後述する係止壁５３で係止するのに良好な分だけ突出している。
【００４９】
このクランプ爪５０は、図５および図６に示すように、爪本体部５１と、ディスク受け部５２とを有している。このうち、爪本体部５１は、ディスク受け部５２よりも厚肉の部分であり、その一端側で突出部４４と連結されている。なお、爪本体部５１と突出部４４とは、本実施の形態では固定的となるように連結されている。しかしながら、後述するように、バネによる付勢力が手前側に作用するため、爪本体部５１は突出部４４を中心として上下方向に回動するように構成しても良い。
【００５０】
また、ディスク受け部５２は、爪本体部５１よりも薄肉の部分であり、小径ディスク１１ａの下面側に当接して該小径ディスク１１ａの下面側を受け止める部分である。このディスク受け部５２の下面側は、爪本体部５１の下面と面一に設けられている。また、ディスク受け部５２の上面側は、爪本体部５１よりも低くなる（メカ基板１７側に位置する）ように設けられている。そして、このディスク受け部５２と爪本体部５１との間には、段差が存在していて、この段差を構成する壁面が、小径ディスク１１ａの外周縁部に当接する係止壁５３となっている。なお、この係止壁５３は、次に述べるディスク当接部５４の側壁である。
【００５１】
爪本体部５１には、ディスク当接部５４が設けられている。ディスク当接部５４は、爪本体部５１のうち、ディスク受け部５２側（手前側であるディスク差込口１９側）に突出している部分である。このディスク当接部５４は、先細り形状となるようにディスク受け部５２側へ突出している。また、ディスク当接部５４の先端部分の平面形状は、尖状ではなく曲線状となっている。それにより、係止壁５３が小径ディスク１１ａの外周縁部に当接し易い構成となっている。すなわち、トリガアーム４０が回動した場合でも、係止壁５３が小径ディスク１１ａの外周縁部に良好に当接可能となっている。
【００５２】
また、爪本体部５１の上面には、トリガ側バネ係止部５５が設けられている。トリガ側バネ係止部５５は、戻しバネ５７（図３参照）の一端側を掛け止めする部分である。また、湾曲孔３６のうち、その手前側であって、図３中右側の側縁部分からは、クランパ側バネ係止部５６が突出している。そして、このクランパ側バネ係止部５６に戻しバネ５７の他端側を掛け止めすることにより、トリガアーム４０には、図３において反時計回りの付勢力が与えられる構成となっている。
【００５３】
なお、図３に示すように、クランプレバー３０の上面のうち、湾曲孔３６に近接する部位には、位置決め突起５８が上方に向かい突出している。この位置決め突起５８には、トリガアーム４０の手前側の側縁が衝突する構成である。それにより、ディスク１１の搬入前における、トリガアーム４０の初期位置が定められる。
【００５４】
図５に示すように、トリガアーム４０のうち第２の揺動部４２には、回転軸４０ａと先端突起４７との間の位置であって、該先端突起４７寄りの位置にスライダ用突起４５が設けられている。スライダ用突起４５は、後述するトリガスライダ６１の係合部６７に係合する部分である。かかる係合のために、スライダ用突起４５は、トリガスライダ６１の係合部６７と良好に係合する突出長さを有している。また、係合部６７への係合に対応させて、その突出端部から所定の長さだけ、手前側からディスク再生装置１０の奥側に向かって切り欠かれた切欠部４６をその先端側に有している。
【００５５】
また、図５および図７に示すように、第２の揺動部４２のうち、その突出端部側には、先端突起４７が設けられている。先端突起４７は、後述するカム部材８３の係合ピン８９と係合する部分である。この先端突起４７は、トリガアーム４０よりも下方側に位置するように設けられている。また、この先端突起４７は、側壁２０ａ（図１参照）に向かって突出している。
【００５６】
また、図５、および図７〜図９に示すように、ディスク再生装置１０の内部には、スライド部材としてのローディングスライダ部材６０が設けられる。ローディングスライダ部材６０は、トリガスライダ６１と、ローディングスライダ７０とから構成されている。これらトリガスライダ６１と、ローディングスライダ７０とは重ねられることで、ローディングスライダ部材６０は構成されている。
【００５７】
さらに、これらトリガスライダ６１とローディングスライダ７０の間には、連動バネ９０が設けられている（図５、図７参照）。この連動バネ９０の一端側は、トリガスライダ６１の第１のバネ受け部６２に掛け止めされ、また連動バネ９０の他端側は、ローディングスライダ７０のプレート部７３の第２のバネ受け部７４に掛け止めされる。この連動バネ９０の存在により、両スライダ６１，７０はお互いに付勢力を与えながら良好に連動し、また初期のお互いの相対位置が定められる。
【００５８】
このうち、ローディングスライダ７０側の第２のバネ受け部７４は、トリガスライダ６１の、後述する突出用孔６５に位置している（図５、図７及び図８参照）。この第２のバネ受け部７４は、突出用孔６５から上方に向かって突出している。なお、第２のバネ受け部７４が突出用孔６５から突出することにより、該トリガスライダ６１とローディングスライダ７０との間の相対的な移動距離を規制することもできる。また、トリガスライダ６１側の第１のバネ受部６２は、後述するラックギヤ６８の付け根近傍に設けられている。
【００５９】
トリガスライダ６１は、図５、および図７〜図９に示すように、樋溝状のスライドガイド部６３と、このスライドガイド部６３からディスク再生装置１０の内方側に向かう延出部６４と、を有している。なお、ディスク再生装置１０の内部においては、スライドガイド部６３は、ローディングスライダ７０の側辺部に覆い被さるように設けられる。また、延出部６４は、その外観が略三角形状に、側壁２０ａ側に向かって延伸している。この延出部６４の中央部分には、突出用孔６５が設けられている。突出用孔６５は、奥側が矩形となっていると共に、手前側が手前にくるほど幅狭となる尖形（略三角形状）に形成されている。
【００６０】
また、延出部６４のうち奥側には、当接片６６（図８、図９参照）が設けられている。当接片６６は、この延出部６４をコ字状に切り欠くと共に、該延出部６４に対して垂直となるように折り曲げることで形成されている。この当接片６６は、後述するローディングスライダ７０の当接部７５に当接するものであり、そのため下方側を向くように折り曲げられている。
【００６１】
また、延出部６４のうち最も側壁２０ａ側には、外観が矩形状の係合部６７が設けられている。この係合部６７は、スライダ用突起４５が係合する部分である。かかる係合を良好とするために、係合部６７は、延出部６４の他の部分よりも隆起するように上方に折り曲げられている。それによって、スライダ用突起４５の切欠部４６が係合部６７に係合した場合でも、該スライダ用突起４５の先端部分が、ローディングスライダ７０と干渉しない構成となっている。
【００６２】
また、トリガスライダ６１のうち、手前側かつ側壁２０ａ側には、延出部６４に連なるようにラックギヤ６８が設けられている。ラックギヤ６８は、後述するピニオンギヤ１２５（図８参照）と噛合するものである。また、図１２に示すように、これらラックギヤ６８およびピニオンギヤ１２５、ならびに複数の従動ギヤからなるギヤ輪列１２２によって、スライド用駆動伝達手段が構成される。なお、ピニオンギヤ１２５との接離を良好とするために、ラックギヤ６８の先端部分には、トリガスライダ６１の他の部分が連なっていない。
【００６３】
また、トリガスライダ６１に重ねられるローディングスライダ７０は、図５、および図７〜図９に示すように、トリガスライダ６１よりも幅広となるように設けられている。また、このローディングスライダ７０は、ディスク再生装置１０の中央側が、スライドガイド部６３で覆われる側辺部７１となっている。
【００６４】
このローディングスライダ７０のうち、側辺部７１の手前側には、スイッチ当接部７２が設けられている。スイッチ当接部７２は、次に述べるプレート部７３が側辺部７１側から切り欠かれることにより形成されている。このスイッチ当接部７２は、メカ基板１７に取り付けられている、終了検出スイッチ９１（図７参照）に衝突する部分である。終了検出スイッチ９１は、スイッチ当接部７２によって押し込まれることにより、後述するローディングモータ１２０（図７参照）の作動を停止させるものである。すなわち、終了検出スイッチ９１は、ローディングスライダ７０のスライド終了位置（ローディング終了位置）を検出し、該ローディングモータ１２０の作動を停止させるものである。
【００６５】
なお、スイッチ当接部７２が終了検出スイッチ９１を押し込んで、ローディングモータ１２０が作動停止となるとき、ディスク受け部５２が小径ディスク１１ａの下面に接触している状態が解除され、該ディスク受け部５２が小径ディスク１１ａの外径側に逃げた状態となるように構成されている。この場合、ラックギヤ６８とピニオンギヤ１２５とが噛み合うことで、小径ディスク１１ａの先端部分によって係止壁５３が押されなくても、トリガアーム４０の回動が継続される。そして、ディスク受け部５２が小径ディスク１１ａから離れると共に、かかるトリガアーム４０の回動に伴なってスイッチ当接部７２が終了検出スイッチ９１を押し込む。
【００６６】
また、図５、図７〜図９に示すように、ローディングスライダ７０は、側辺部７１から側壁２０ａ側に向かうプレート部７３を有している。このプレート部７３には、上述したように、第２のバネ受け部７４が形成されている。第２のバネ受け部７４は、プレート部７３のうち、側辺部７１側かつ奥側に位置していて、当接片６６が後述する当接部７５に当接した場合でも、突出用孔６５から良好に突出するように設けられている。また、このプレート部７３のうち、その後端側（ディスク１１の差し込みの奥側）の側縁は、当接片６６が当接する当接部７５となっている。すなわち、この当接部７５に当接片６６が当接することで、ローディングスライダ７０がトリガスライダ６１によって手前側に押し込まれることとなる。
【００６７】
このプレート部７３には、長孔状の打ち抜き部７６が形成されている。この打ち抜き部７６のうち、手前側は、長孔部７７となっている。また、この打ち抜き部７６に沿って、長孔部７７よりも手前側から奥側には、幅広な拡幅孔部７８が設けられている。この拡幅孔部７８には、後述するピニオンギヤ１２５が位置することを可能としている。すなわち、ピニオンギヤ１２５は、下方から上方に向かうように拡幅孔部７８に差し込まれ、ラックギヤ６８と噛み合うことを可能としている。
【００６８】
また、打ち抜き部７６のうち、拡幅孔部７８に連なる奥側には、カム溝部７９が設けられている。このカム溝部７９は、後述するドライブアーム１００のピン１０７が差し込まれるものである。カム溝部７９は、図５、図８および図９に示すように、拡幅孔部７８から奥側に向かうにつれて、拡幅孔部７８よりも側壁２０ａ側に向かうように形成されている。
【００６９】
なお、図８および図９に示すように、このカム溝部７９のうち、拡幅孔部７８側の基端部７９ａは、ディスク１１の差し込み方向に平行となっている。また、この基端部７９ａに連なって、側壁２０ａ側に徐々に近づいていくテーパ部７９ｂが設けられている。さらに、このテーパ部７９ｂに連なって、ディスク１１の差し込み方向に平行な先端部７９ｃが設けられている。
【００７０】
また、図５、図７〜図９に示すように、プレート部７３よりも側壁２０ａ側には、カム用延伸部８０が設けられている。カム用延伸部８０のうち、その付け根部分は、該プレート部７３よりも下方に向かうように折り曲げられた下底部８１となっている。この下底部８１は、上述の係合部６７およびスライダ用突起４５が位置する部分であり、該スライダ用突起４５の先端部が干渉しないように、ローディングスライダ７０の下面よりさらに下降した状態となっている。
【００７１】
また、この下底部８１から上昇するように、カム取付部８２が該下底部８１に連なって設けられている。カム取付部８２は、例えばネジ等（不図示）を介して、図７および図１０に示すカム部材８３を取り付ける部分である。カム取付部８２に取り付けられるカム部材８３は、カム取付部８２への取り付けのための係止部８４を有している。また、係止部８４から上方に向かうように、カム本体部８５が設けられている。カム本体部８５には、図１０に示すように、カム溝８６が設けられている。カム溝８６は、上述の突出ピン３４が差し込まれる部分である。そのため、カム溝８６は、ディスク再生装置１０の手前側が開放された溝となっている。
【００７２】
このカム溝８６は、図１０に示すように、手前側が、高くなるように設けられていると共に、ディスク１１の差し込みの奥側に向かうにつれて下降するように形成されている。なお、カム溝８６は、傾斜角度の大きな急傾斜部８６ａと、傾斜角度の緩やかな緩傾斜部８６ｂと、メカ基板１７の面と略並行を為すと共に、高さ位置が最も低い平行部８６ｃとから構成されている。
【００７３】
かかるカム溝８６のうち、手前側の急傾斜部８６ａの近傍には、カム溝８６の下面中、最も高い位置となる頂点８６ｄが設けられている。そして、この頂点８６ｄよりも手前側には、ローディングスライダ７０がスライドする前のディスク搬入時において、突出ピン３４を安定的に受け止めるピン受部８７となっている。
【００７４】
ここで、カム溝８６内を突出ピン３４が摺動すると、クランプレバー３０が下方に降下する。そして、クランプレバー３０が降下していくと、クランパ３５の凸部が小径ディスク１１ａに差し込まれる。このクランパ３５の凸部が、小径ディスク１１ａの孔部１１ｃへ差し込まれたときに、搬送ローラ１４５の駆動が停止されるように構成すると、好ましいものとなる。また、その差し込みのタイミングとほぼ同時期に、ターンテーブル３７に小径ディスク１１ａが接触するように構成すると、好ましいものとなる。
【００７５】
また、図７に示すように、カム部材８３には、奥側に向かって後方突出部８８が設けられている。後方突出部８８には、その先端部分に上方に向かうように係合ピン８９が設けられている。係合ピン８９は、上述した先端突起４７が係合する部分である。この係合状態は、図１に示すように、先端突起４７が係合ピン８９よりも手前側に位置するように係合している。すなわち、ラックギヤ６８とピニオンギヤ１２５との噛み合いによって、ローディングスライダ７０が手前側にスライドした場合に、トリガアーム４０を図３や図７において時計回りに回動させる状態で、係合ピン８９および先端突起４７が係合している。
【００７６】
なお、図７に示すように、カム本体部８５に形成されているカム溝８６は、このカム本体部８５を貫通していなく、側壁２０ａ側からは見えない状態となっている。本実施の形態では、このカム本体部８５の側壁２０ａ側には、適宜凹凸が形成されている。
【００７７】
また、メインシャーシ１８には、図７、図１１等に示すような長尺状のドライブアーム１００が取り付けられる。このドライブアーム１００は、その一端側から他端側に向かうに従って、段階的に高さが変化するように設けられている。すなわち、ドライブアーム１００には、一端側から他端側に向けて、回動一端部１０１、中央プレート部１０２、ピン形成部１０３、および回動他端部１０４が設けられている。
【００７８】
このうち、中央プレート部１０２には、その中心部分に軸孔１０５が形成されている。この軸孔１０５には、メインシャーシ１８に取り付けられる回転軸（不図示）が挿通される。それによって、ドライブアーム１００は、該メインシャーシ１８に対して、回転軸を中心に回転自在に取り付けられる。また、中央プレート部１０２のうち、奥側および手前側には、夫々逃がし孔１０６ａ，１０６ｂが形成されている。逃がし孔１０６ａ，１０６ｂは、ドライブアーム１００が回転した場合でも、後述する従動ギヤの回転軸１２６，１２７を挿通させて、該回転軸１２６，１２７がドライブアーム１００と干渉しないようにさせるための部分である。
【００７９】
なお、本実施の形態では、ローディングモータ１２０のウオームギヤ１２１に近接した位置となる、手前側の逃がし孔１０６ｂの方が逃がし孔１０６ａに比べ、側壁２０ａ側に寄るように形成されている。また、回転軸を良好に逃がすために、逃がし孔１０６ａ，１０６ｂの平面形状は、軸孔１０５から一定半径だけ離間した円弧形状となっている。
【００８０】
また、中央プレート部１０２よりも奥側のピン形成部１０３は、該中央プレート部１０２よりも高く設けられていて、該ドライブアーム１００の上方に配置されるローディングスライダ７０に近接するものである。このピン形成部１０３には、上方に向かってピン１０７が形成されている。ピン１０７は、上述のカム溝部７９に差し込まれるものである。そのため、ローディングスライダ７０がスライドすると、カム溝部７９の溝形状にピン位置が規制されることで、ドライブアーム１００が回転軸１０５を中心として揺動する。
【００８１】
また、ピン形成部１０３よりも奥側の回動他端部１０４は、上述のピン形成部１０３よりも高さ位置が低くなるように設けられている。この回動他端部１０４には、その上面から上方に向かって連結ピン１０８が形成されている。連結ピン１０８は、後述するリアロックアーム１９０（図１２他参照）の差込孔１９２に差し込まれ、該リアロックアーム１９０の回転中心となっている。
【００８２】
中央プレート部１０２よりも手前側には、回動一端部１０１が形成されている。この回動一端部１０１は、ドライブアーム１００のうちで、高さ位置が最も低くなるように設けられている。また、この回動一端部１０１には、最も手前側に突出するピン係合部１０９が設けられている。ピン係合部１０９は、ローラレバー部材１６の回動用ピン１４７（図１４他参照）に係合する部分である。なお、ドライブアーム１００（ピン係合部１０９）と、回動用ピン１４７とによって、第２のカム機構が構成されている。
【００８３】
図１１に示すように、このピン係合部１０９のうち、回動用ピン１４７に係合する部分が、突出側の外周壁面である係合縁部１０９ａである。この係合縁部１０９ａは、回動用ピン１４７との間の係合を良好にするために、その平面形状が略円弧形状を為している。また、係合縁部１０９ａは、側壁２０ａ側からディスク再生装置１０の中央部に向かうにつれて、奥側に向かうような円弧形状に形成されている。
【００８４】
また、回動一端部１０１には、ディスク再生装置１０の中央部に向かって舌片部１１０が突出している。この舌片部１１０は、ドライブアーム１００のうち、最もディスク再生装置１０の中央部寄りに突出している部分である。また、この舌片部１１０の上面からは、上方に向かってスライダ用ピン１１１が形成されている。スライダ用ピン１１１は、後述するロックスライダ１５１の貫通溝１５２に差し込まれるものである（図１５参照）。そして、ドライブアーム１００が回動した場合には、このスライダ用ピン１１１の回動によって、ロックスライダ１５１がディスク再生装置１０の幅方向にスライドするものとなっている。
【００８５】
なお、回動一端部１０１には、軸孔１０５から一定半径の円弧形状を為す円弧溝１１２が形成されている。円弧溝１１２には、メインシャーシ１８から突出する不図示のピンが差し込まれ、このピンによって、ドライブアーム１００の一端側における回動が安定的に為されるものとなっている。
【００８６】
また、図１に示すメインシャーシ１８には、図７および図１２に示すようなローディングモータ１２０が取り付けられている。このローディングモータ１２０の回転軸１２０ａには、ウオームギヤ１２１が取り付けられていて、ここからローディングスライダ７０側、およびローラレバー部材１６側に、夫々駆動力が分配される。このうち、図１２に示すように、ローディングスライダ７０側へ駆動力を伝達させるために、ウオームギヤ１２１のうちディスク再生装置１０の中央寄りの部位には、従動ギヤ１２３が噛み合っている。
【００８７】
図１２に示すように、この従動ギヤ１２３を含んで、複数の従動ギヤからなるギヤ輪列１２２が設けられていて、このギヤ輪列１２２のうち従動ギヤ１２４と同軸のピニオンギヤ１２５（図８、図９参照）に駆動力が伝達される。このピニオンギヤ１２５は、上述の拡幅孔部７８を通過して上方に突出していて、ラックギヤ６８との噛み合いが可能な位置に設けられている。そして、このピニオンギヤ１２５は、ローディングスライダ７０が奥側に位置するときは空転し、ローディングスライダ７０が手前側に位置するときはラックギヤ６８と噛み合って、該ローディングスライダ７０をさらに手前側に引き込む駆動力を与える。
【００８８】
なお、従動ギヤ１２３は、回転中心となる回転軸１２７に、ピニオンギヤ１２５およびこのピニオンギヤ１２５と同軸の従動ギヤ１２４は、回転中心となる回転軸１２６に取り付けられている。この回転軸１２６，１２７は、上述の逃がし孔１０６ａ，１０６ｂに位置している。なお、図１２においては、回転軸１２６に従動ギヤ１２４およびピニオンギヤ１２５、回転軸１２７に従動ギヤ１２３が取り付けられている。また、従動ギヤ１２３の駆動力は、第２の従動ギヤ１２２ａに伝達されるが、この第２の従動ギヤ１２２ａおよび、従動ギヤ１２４と噛み合う第３の従動ギヤ（図示省略）は、ドライブアーム１００の回転中心ともなる回転軸（不図示）に取り付けられている。
【００８９】
また、図７および図１３に示すように、ウオームギヤ１２１の上部側には、小ウオームホイール１２８が位置していて、以下ギヤ輪列１２９（従動ギヤ１３０、従動ギヤ１３１）を介して駆動力がローラレバー部材１６側に伝達される。このうち従動ギヤ１３１は、後述するローラシャフト１４３と同軸のローラギヤ１３２と噛み合っている。それにより、ローディングモータ１２０の駆動力がローラシャフト１４３に伝達される。
【００９０】
図１に示すように、フローティング部材１５のうち手前側には、ローラレバー部材１６が設けられている。このローラレバー部材１６は、フローティング部材１５の手前側に位置する回転軸１４０（図１４参照）を介して、回動自在に支持されている。かかるローラレバー部材１６には、図７および図１３に示すように、搬送ローラ１４５を回転自在に支持するためのローラ支持体１４１が設けられている。ローラ支持体１４１は、例えば樹脂等で一体成形されている部材であり、その手前側は、ディスク１１の差し込みに対応させて、開放した形状となっている。
【００９１】
なお、ローラレバー部材１６、ローディングモータ１２０、ウオームホイール１２８、ギヤ輪列１２９、ローラギヤ１３２によって、ディスク搬送機構が構成されている。また、従動ギヤ１３１とローラギヤ１３２とによって、駆動力伝達切替機構が構成されている。
【００９２】
また、ローラ支持体１４１のうち、ディスク再生装置１０の幅方向の両端側には、ローラシャフト１４３を回転自在に軸支するための側方支持部１４２が一対形成されている。この一対の側方支持部１４２により、ローラシャフト１４３は回転自在に支持されている。
【００９３】
また、ローラシャフト１４３は、側方支持部１４２のうち、ディスク再生装置１０の奥側に取り付けられている。そのため、回転軸１４０を中心としてローラレバー部材１６が回動すると、ローラシャフト１４３（搬送ローラ１４５）が、上下方向に移動することを可能としている。また、このローラシャフト１４３の図７および図１３中右側の端部には、側方支持部１４２よりも側壁２０ａ側に突出するように、上述のローラギヤ１３２が取り付けられている。
【００９４】
このローラシャフト１４３には、ローラカバー１４４がその外周を覆うように取り付けられている。このローラカバー１４４は、例えばゴムや樹脂等のように、ディスク１１の裏面に接触しても損傷を生じさせない柔らかめの材質であって、ディスク１１の裏面に当接した場合に摩擦力を良好に与える材質から構成されている。それにより、これらローラシャフト１４３とローラカバー１４４とで、ローラ体としての搬送ローラ１４５を構成している。
【００９５】
また、ローラ支持体１４１のうち、手前側かつ下方側であり、図７および図１３においてディスク再生装置１０の中央よりも右側には、突出部１４６が設けられている。突出部１４６は、図１４に示すように、ローラ支持体１４１よりも下方に向かって突出していると共に、その底面が、該ローラ支持体１４１の底面に対して所定角度傾斜するように設けられている。
【００９６】
また、この突出部１４６の下面からは、その手前側において、下方に向かう回動用ピン１４７が設けられている。回動用ピン１４７は、図１４に示すように、突出部１４６の底面に対して略垂直を為すように設けられている。この回動用ピン１４７は、上述したドライブアーム１００のピン係合部１０９に係合する部材である。すなわち、回動用ピン１４７は、ドライブアーム１００が回動してピン係合部１０９が回動用ピン１４７を押すことで、回転軸１４０を中心としてローラ支持体１４１を回動させるための部材である。
【００９７】
なお、回動用ピン１４７とピン係合部１０９とが係合し、ローラレバー部材１６を回動させることにより、従動ギヤ１３１とローラギヤ１３２とが接離する。かかる接離は、小径ディスク１１ａの搬入においては、該小径ディスク１１ａの孔部１１ｃの中心と、ターンテーブル３７の中心とが略一致する状態で、クランパ３５の凸部が孔部１１ｃに差し込まれたときに、両ギヤ１３１，１３２の噛み合いが解かれるように構成されている。
【００９８】
なお、突出部１４６には、該回動用ピン１４７よりも手前側の部位に、防御部材１４８が設けられている。それによって、回動用ピン１４７が外部から付勢されるのを防止している。また、ローラレバー部材１６は、回動用ピン１４７を奥側に向かうように付勢力を与える、すなわち図１４で反時計方向に回転させようとする不図示のバネに接続されている。それによって、後述するディスク１１の排出の場合には、回動用ピン１４７を奥側の初期位置に位置させるよう、作動させることが可能となる。
【００９９】
また、図１２に示すように、ローラレバー部材１６よりも下方側には、フロント側メカロック機構１５０が設けられている。フロント側メカロック機構１５０は、図１２および図１５〜図１８に示すように、プレート状部材からなるロックスライダ１５１を有している。このロックスライダ１５１は、上述のドライブアーム１００のスライダ用ピン１１１が挿通する貫通溝１５２を有している。貫通溝１５２は、ロックスライダ１５１のうち、奥側に位置していると共に、ドライブアーム１００側である、図１８において右側（図１２および図１５において左側）に位置している。なお、この貫通溝１５２は、ディスク１１の差し込み方向が長手となるように形成されている。
【０１００】
また、ロックスライダ１５１のうち、手前側には、一対のＴ字状溝１５３ａ，１５３ｂが形成されている。このＴ字状溝１５３ａ，１５３ｂは、その平面形状がＴ字状を為している。このＴ字状溝１５３ａ，１５３ｂは、横溝部１５４と縦溝部１５５とから構成されていて、これら横溝部１５４と縦溝部１５５とがＴ字状に交差している。このうち横溝部１５４は、ディスク再生装置１０の幅方向を長手としていると共に、縦溝部１５５は、ディスク１１の差し込み方向を長手としている。
【０１０１】
しかしながら、ドライブアーム１００側のＴ字状溝１５３（以下、第１のＴ字状溝１５３ａとする。）は、縦溝部１５５が横溝部１５４よりも手前側に位置する構成である。また、ドライブアーム１００から離間する側のＴ字状溝１５３（以下、第２のＴ字状溝１５３ｂとする。）は、縦溝部１５５が横溝部１５４よりも奥側に位置する構成である。
【０１０２】
また、ロックスライダ１５１には、奥側に一対のスライドガイド孔１５６が形成されている。スライドガイド孔１５６は、ロックスライダ１５１のディスク再生装置１０の幅方向に向かうスライドを良好にガイドするための孔である。そのため、かかる一対のスライドガイド孔１５６は、ディスク再生装置１０の幅方向を長手としている。また、このスライドガイド孔１５６には、メインシャーシ１８から突出する一対のガイドピン１５７が挿入される。
【０１０３】
図１２、図１５〜図１８に示すように、上述のロックスライダ１５１に重ねられるようにして、一対のロックアーム１６０が設けられている。このロックアーム１６０は、夫々平板部１６１を有していて、この平板部１６１の上面からリング状突起１６２（図１５〜図１８参照）が突出している。リング状突起１６２は、フローティング部材１５の凹部に嵌合する部分である。それにより、このリング状突起１６２を中心としてロックアーム１６０は回転可能となっている。
【０１０４】
なお、以下の説明においては、ドライブアーム１００側に位置するロックアーム１６０を第１のロックアーム１６０ａ、ドライブアーム１００から離間する側に位置するロックアーム１６０を第２のロックアーム１６０ｂと呼ぶ。また、第１および第２のロックアーム１６０ａ，１６０ｂを総称する場合には、単にロックアーム１６０と呼ぶ。
【０１０５】
また、この平板部１６１には、手前側に向かう腕部１６３が連なっている（図１２、図１５〜図１７参照）。腕部１６３には、その先端側かつ互いに対向しない側方部分に、夫々挟持部材１６４が取り付けられている。この挟持部材１６４は、図１９に示すように、ディスク差込口１９（図１８参照）よりも下方に位置する固定板バネ１７０ａ，１７０ｂに挟持されるものである。ここで、固定板バネ１７０ａ，１７０ｂは、ディスク再生装置１０の上下方向において対向するように、一対設けられている。なお、かかる対向状態の固定板バネ１７０ａ，１７０ｂのうち、上方に位置するものを、固定板バネ１７０ａ、下方に位置するものを固定板バネ１７０ｂとする。
【０１０６】
また、対向している両固定板バネ１７０ａ，１７０ｂの両端側は、互いに近接するように折り曲げられている。なお、これら両固定板バネ１７０ａ，１７０ｂが近接対向している部位は、ロックアーム１６０の挟持部材１６４を挟持するためのインサート部１７１となっている。
【０１０７】
図１２、図１５〜図１７に示すように、ロックアーム１６０の下面には、Ｔ字状溝１５３ａ，１５３ｂの縦溝部１５５に差し込まれるピン部材１６５ａ，１６５ｂが、メインシャーシ１８に向かうように設けられている。かかるロックアーム１６０のピン部材１６５ａ，１６５ｂのうち、第１のロックアーム１６０ａにおけるピン部材１６５ａは、第１のＴ字状溝１５３ａの縦溝部１５５が横溝部１５４よりも手前側に位置しているため、リング状突起１６２よりも手前側に位置している。また、第２のロックアーム１６０ｂにおけるピン部材１６５ｂは、第２のＴ字状溝１５３ｂの縦溝部１５５が、横溝部１５４よりも奥側に位置しているため、リング状突起１６２よりも奥側に位置している。
【０１０８】
かかる配置のピン部材１６５ａ，１６５ｂが、縦溝部１５５に差し込まれることで、ロックスライダ１５１がディスク再生装置１０の幅方向にスライドした場合に、一対の挟持部材１６４は、互いに近接、または互いに離間するかの、開閉動作を行う。また、この開閉動作のうち、一対のロックアーム１６０ａ，１６０ｂが開いている状態では、挟持部材１６４がインサート部１７１に挟まれた、フローティング部材１５のフローティングロック状態（非フローティング状態）となっている。また、一対のロックアーム１６０ａ，１６０ｂが閉じている状態では、挟持部材１６４がインサート部１７１から外れて、フローティング部材１５の手前側がフローティング状態となる。
【０１０９】
また、ディスク差込口１９の下方には、図２０に示すような、ディスク径検出機構１８０が設けられている。ディスク径検出機構１８０は、図１３および図２０に示すような一対の検出スライダ１８１ａ，１８１ｂを具備している。この一対の検出スライダ１８１ａ，１８１ｂは、共に付勢バネ１８２（図２０参照）の一端側に掛け止めされている。この２つの付勢バネ１８２の各他端側は、フローティング部材１５の係止部１５ａ（図２０参照）に掛け止めされている。それにより、一対の検出スライダ１８１ａ，１８１ｂには、この係止部１５ａに向かう付勢力、すなわち互いに当接する向きに付勢力が与えられている。
【０１１０】
なお、以下の説明では、一対の検出スライダ１８１ａ，１８１ｂのうち、図２０の右側に位置するものを第１の検出スライダ１８１ａ、図２０の左側に位置するものを第２の検出スライダ１８１ｂと呼ぶこととする。また、上述の一対の検出スライダ１８１ａ，１８１ｂが、互いに当接する部分は、図２０に示すように、手前側に位置している幅狭の突合せ部１８３ａ，１８３ｂである。
【０１１１】
また、第１の検出スライダ１８１ａのうち、第２の検出スライダ１８１ｂ側には、奥側に向かって、その平面形状が略コ字状を為しているスイッチ当接片１８４ａが延出している。このスイッチ当接片１８４ａは、該第１の検出スライダ１８１ａの長手と平行な方向を長手としていて、しかも第２の検出スライダ１８１ｂ側に向かって延伸している。そして、かかるスイッチ当接片１８４ａのうち、奥側の側面が、検出スイッチ１８８Ｂ，１８８Ｄが当接する当接部１８５ａとなっている。また、第１の検出スライダ１８１ａのうち、側壁２０ａ側の他端部には、ディスク１１の外周縁部に係合するディスク係合片１８６ａが、上方に向かって設けられている。
【０１１２】
また、第２の検出スライダ１８１ｂにも、奥側にスイッチ当接片１８４ｂが設けられている。なお、このスイッチ当接片１８４ｂは、第２の検出スライダ１８１ｂの長片部１８７に密接状態で設けられている。また、このスイッチ当接片１８４ｂの一端は、第２の検出スライダ１８１ｂの第１の検出スライダ１８１ａ側の一端と略同一部位から、第２の検出スライダ１８１ｂの他端側に向かうように設けられているが、その長さは、長片部１８７よりも短いものとなっている。
【０１１３】
また、第２の検出スライダ１８１ｂのスイッチ当接片１８４ｂは、第１の検出スライダ１８１ａのスイッチ当接片１８４ａよりも奥側には突出していなく、コ字状を為すスイッチ当接片１８４ａの内部に位置することを可能としている。なお、スイッチ当接片１８４ｂも、その奥側の側面が、検出スイッチ１８８Ａ，１８８Ｃが当接する当接部１８５ｂとなっている。また、この第２の検出スライダ１８１ｂにも、その側壁２０ｂ側の他端部には、ディスク１１の外周縁部に係合するディスク係合片１８６ｂが、上方に向かって設けられている。
【０１１４】
かかる一対の検出スライダ１８１ａ，１８１ｂよりも奥側には、４つの検出スイッチ１８８Ａ，１８８Ｂ，１８８Ｃ，１８８Ｄが配置されている。これらの検出スイッチ１８８Ａ〜１８８Ｄの並びのうち、その中央側に検出スイッチ１８８Ａ，１８８Ｂが配置されていて、その外側に検出スイッチ１８８Ｃ，１８８Ｄが配置されている。
【０１１５】
これらのうち、検出スイッチ１８８Ａ，１８８Ｂは、主として大径ディスク１１ｂおよび小径ディスク１１ａが挿入された場合に、当接部１８５ａ，１８５ｂの当接により押し込まれ、オン作動するものである。また、検出スイッチ１８８Ｃ，１８８Ｄは、主として大径ディスク１１ｂが挿入された場合（図２０（ｂ）参照）に、当接部１８５ａ，１８５ｂの当接により押し込まれ、オン作動するものである。
【０１１６】
しかしながら、図２０（ｃ）に示すように、小径ディスク１１ａが中央からではなく、片側に寄った状態で挿入された場合には、当接部１８５ａ，１８５ｂのスライドによって、検出スイッチ１８８Ａ，１８８Ｃ、または検出スイッチ１８８Ｂ，１８８Ｄのみをオン作動させる場合も生じる。この場合には、後述するように、このままディスク再生装置１０の内部に小径ディスク１１ａを搬入しても、良好にクランプできない。そのため、一旦小径ディスク１１ａを吐き出すような動作を、搬送ローラ１４５が行うこととなる。
【０１１７】
なお、かかる吐き出しの動作は、検出スイッチ１８８Ａ，１８８Ｃのみがオンとなり、他の検出スイッチ１８８Ｂ，１８８Ｄがオンとならない場合や、検出スイッチ１８８Ｂ，１８８Ｄのみがオンとなり、他の検出スイッチ１８８Ａ，１８８Ｃがオンとならない場合を検出することに基づいて、後述する制御部２０５でのローディングモータ１２０に対する制御指令によって為される。
【０１１８】
図１２、図２１に示すように、ドライブアーム１００の回動他端部１０４には、リアロックアーム１９０が連結されている。このリアロックアーム１９０のうち、長手から外れて突出する突出部位１９１には、差込孔１９２が形成されていて、この差込孔１９２に上述の連結ピン１０８が差し込まれる。それにより、リアロックアーム１９０がドライブアーム１００と連結される。また、ドライブアーム１００が回動した場合に、この回動に伴ってリアロックアーム１９０がスライドする。また、リアロックアーム１９０は、その長手が、ドライブアーム１００の長手に対して略垂直を為す状態で、ディスク再生装置１０の内部に配置されている。
【０１１９】
このリアロックアーム１９０のうち、一端側の突出部位１９１から離間する他端部１９３には、図２１、図２２に示すようなロックピン１９４が設けられている。ロックピン１９４は、リアロックアーム１９０の上方に向かって突出するピン部材であり、該ロックピン１９４の上端は、図２２に示すような、アウターシャーシ部材１２の裏面に取り付けられている舌片１９５に当接可能となっている。
【０１２０】
また、図２２に示すように、ロックピン１９４の下面側の部位（リアロックアーム１９０の下面側の部位）は、メインシャーシ１８の底面１８ａと近接または接触して設けられている。そのため、ロックピン１９４の上端が、舌片１９５に当接している状態では、このロックピン１９４がメインシャーシ１８と舌片１９５との間でつっかえることとなる。それによって、フローティング部材１５は、その奥側において、フローティング状態とはならず、フローティングロック状態となる。
【０１２１】
また、ドライブアーム１００が図２１において時計回りに回動し、リアロックアーム１９０が図２１中右側に向かってスライドした場合には、ロックピン１９４の上端は、舌片１９５との間の当接状態が解除される。それによって、フローティング部材１５は上下方向に動くことが可能な、フローティング状態となる。
【０１２２】
なお、本実施の形態では、アウターシャーシ部材１２の裏面に取り付けられる舌片１９５は、図２１および図２２に示すように、適宜折り曲げられた板バネ状部材となっている。そして、ロックピン１９４の上端がこの舌片１９５に当接した場合には、該舌片１９５は、付勢力を有した状態で、ロックピン１９４を下方に押し付けることとなる。
【０１２３】
また、ディスク再生装置１０には、その他、図２３に示すような、各種部材の取付固定および固定用の補強板金２００、ディスク１１の裏面にレーザ光を投受光させるためのピックアップユニット２０１、およびピックアップユニット２０１を摺動自在に支持するトラバースユニット２０２が設けられている。また、他には、光ピックアップユニット駆動のためのスレッドモータ２０３を有するスレッドモータユニット２０４が設けられている。
【０１２４】
また、この他に、ディスク再生装置１０には、終了検出スイッチ９１、検出スイッチ１８８Ａ〜１８８Ｄおよび各モータ３８，１２０，２０３に接続されている制御部２０５（図２４参照）が設けられている。制御部２０５は、終了検出スイッチ９１、検出スイッチ１８８Ａ〜１８８Ｄで検出した結果（スイッチのオン／オフ信号）に基づいて、各モータ３８，１２０，２０３の駆動を制御するものである。
【０１２５】
以上のような構成を有するディスク再生装置１０の作用について、以下に説明する。まず、最初に大径ディスク１１ｂが、ディスク再生装置１０の内部に搬入される場合について説明する。
【０１２６】
ディスク差込口１９から大径ディスク１１ｂを差し込むと、このディスク差込口１９の差し込みによって、上述の第１の検出スライダ１８１ａ、および第２の検出スライダ１８１ｂに存在するディスク係合片１８６ａ，１８６ｂに、大径ディスク１１ｂの外周縁部がぶつかる（図２０（ｂ）参照）。そして、この状態で大径ディスク１１ｂをさらに差し込むと、第１の検出スライダ１８１ａおよび第２の検出スライダ１８１ｂは、互いに離間する向きに、スライドされる。すると、まず検出スイッチ１８８Ａまたは検出スイッチ１８８Ｂの少なくとも一方がオン作動されることとなり、大径ディスク１１ｂまたは小径ディスク１１ａのいずれかが、差し込まれたことを検知する。
【０１２７】
すると、この検知に基づいて、制御部２０５は、ローディングモータ１２０を作動させる。すると、このローディングモータ１２０の駆動力が搬送ローラ１４５に伝達され、該搬送ローラ１４５に先端が接触した大径ディスク１１ｂは、ディスク再生装置１０の内部に引き込まれることとなる。そして、大径ディスク１１ｂが引き込まれるにつれて、第１の検出スライダ１８１ａおよび第２の検出スライダ１８１ｂは、さらにスライドし、検出スイッチ１８８Ａ，１８８Ｂの残りの一方および検出スイッチ１８８Ｃ，１８８Ｄをもオン作動させることとなる。
【０１２８】
また、この大径ディスク１１ｂがディスク再生装置１０の内部に搬入される場合、図２（ａ）に示す大径ディスクガイド部２７によって、大径ディスク１１ｂは、小径ディスク１１ａが搬入される場合よりも下向きに搬入されることとなる。そのため、大径ディスク１１ｂは、トリガアーム４０の下面側に存在するクランプ爪５０と干渉しない状態で、ディスク再生装置１０の内部に搬入される。
【０１２９】
そして、この搬入により、大径ディスク１１ｂの搬入の先端側は、図５に示すディスク係合部４３に衝突する。さらに、大径ディスク１１ｂが引き込まれると、大径ディスク１１ｂの先端側にディスク係合部４３が押されて、ディスク係合部４３を有するトリガアーム４０を、図５において時計回りに回動させる。
【０１３０】
なお、大径ディスク１１ｂのディスク再生装置１０の内部への搬入は、後述するように、ピン係合部１０９が回動用ピン１４７に係合し、ローラレバー部材１６を回動させることで従動ギヤ１３１とローラギヤ１３２との噛み合いが解かれるまで継続される。そして、搬入の最終位置では、孔部１１ｃ（大径ディスク１１ｂ）の中心と、ターンテーブル３７の中心とが略一致した状態となっている。
【０１３１】
トリガアーム４０が回動すると、図５および図９に示すように、この回動によってトリガスライダ６１もスライドさせられる。すなわち、トリガアーム４０の回動によって、スライダ用突起４５がトリガスライダ６１の係合部６７に衝突し（図９（ａ）参照）、さらにトリガアーム４０が回動することで、トリガスライダ６１が手前側にスライドさせられる。さらにトリガスライダ６１がスライドすると、該トリガスライダ６１の当接片６６がローディングスライダ７０の当接部７５に衝突し、該当接片６６によってローディングスライダ７０が手前側に押し込まれる（図９（ｂ）参照）。
【０１３２】
ここで、図９（ｂ）に示すように、当接片６６の当接部７５への衝突に前後して、トリガスライダ６１の手前側へのスライドによって、ラックギヤ６８も手前側に移動し、ラックギヤ６８がピニオンギヤ１２５と噛み合う。ここで、上述したように、大径ディスク１１ｂのディスク再生装置１０の内部への搬入のために、ローディングモータ１２０は回転駆動している。この場合、ピニオンギヤ１２５は図８、図９および図１２の各図において時計回りに回転している。そのため、ラックギヤ６８とピニオンギヤ１２５が噛み合うと、この噛み合いの以後、トリガスライダ６１およびローディングスライダ７０は、ローディングモータ１２０の駆動によって、手前側にスライドさせられる。
【０１３３】
また、ローディングスライダ７０が手前側に向かってスライドした場合、図１０に示すように、突出ピン３４が該ローディングスライダ７０のカム部材８３に存在するカム溝８６に沿って摺動する。この場合、ローディングスライダ７０のスライドに伴なって、突出ピン３４はピン受部８７（図１０（ａ）参照）から頂点８６ｄを通り過ぎ、カム溝８６の急傾斜部８６ａへと移動し（図１０（ｂ）参照）、さらに緩傾斜部８６ｂ、および平行部８６ｃへ（図１０（ｃ）参照）と順次移動する。それにより、突出ピン３４は、メインシャーシ１８側へと移動し、高さ位置が下げられる。
【０１３４】
また、突出ピン３４が上述のようにカム溝８６を移動すると、それに伴なって、突出ピン３４が取り付けられているクランプレバー３０が、回動軸３２を支点として回動する。この場合、クランプレバー３０は、クランパ３５を下方に向けて回動させる。それによって、大径ディスク１１ｂはターンテーブル３７上に押しつけられる。なお、このクランプレバー３０は、後述するローラレバー部材１６の回動と同時か、またはローラレバー部材１６の回動開始後に、回動するように設けられている。
【０１３５】
また、ローディングモータ１２０の駆動により、ローディングスライダ７０がスライドすると、図１１に示すように、ピン１０７がカム溝部７９の内部を、手前側から奥側に向かって移動する。すなわち、ピン１０７は、カム溝部７９のうち基端部７９ａに位置する状態（図１１（ａ））からテーパ部７９ｂへと移動し（図１１（ｂ））、さらに先端部７９ｃへと移動する（図１１（ｃ））。かかるカム溝部７９の内部をピン１０７が移動すると、該ピン１０７は、ディスク再生装置１０の内部を幅方向の側壁２０ａに向かって移動する。そして、このピン１０７の移動に伴なって、回転軸１０５を中心としてドライブアーム１００が回動させられる。
【０１３６】
ここで、ドライブアーム１００の回動と回動用ピン１４７の係合の様子を、図１１に基づいて説明する。ドライブアーム１００が回動する前の状態では、図１１（ａ）に示すように、ピン係合部１０９の係合縁部１０９ａが回動用ピン１４７に係合していない。このとき、ピン１０７は、カム溝部７９の基端部７９ａに位置している。しかしながら、ローディングスライダ７０が所定だけスライドし、ピン１０７がテーパ部７９ｂに位置すると、図１１（ｂ）に示すように、該ピン１０７がディスク再生装置１０の幅方向（側壁２０ａ側）に移動させられることとなる。このとき、ローディングスライダ７０は、ディスク再生装置１０の幅方向に移動しないので、ドライブアーム１００が回転軸１０５を中心として回動させられることとなる。なお、この場合のドライブアーム１００の回転は、図１１において反時計回り方向に回転させられる。
【０１３７】
さらにローディングスライダ７０がスライドし、ピン１０７が先端部７９ｃに位置すると、図１１（ｃ）に示すように、ドライブアーム１００がさらに回動させられる。
【０１３８】
かかるドライブアーム１００の回動により、ピン係合部１０９の係合縁部１０９ａが、回動用ピン１４７に対して係合する状態となる。かかる係合が為されると、回動用ピン１４７は、手前側に移動させられる。この場合、回動用ピン１４７を有するローラレバー部材１６は、回転軸１４０を中心として、図１４において時計回り方向に回転させられることとなる。
【０１３９】
ここで、上述したように、ローラレバー部材１６が回動する前の状態においては、大径ディスク１１ｂの搬入のために、搬送ローラ１４５が回転している状態となっている。すなわち、ローラシャフト１４３と同軸のローラギヤ１３２が、従動ギヤ１３１と噛み合っている。しかしながら、図１４（ａ）〜（ｃ）に示すようにローラレバー部材１６が順次回転させられて、搬送ローラ１４５が所定だけ下方に押し下げられた場合には、ローラギヤ１３２と従動ギヤ１３１との間の噛み合いが解かれ、搬送ローラ１４５の回転駆動が停止させられる。
【０１４０】
なお、上述したように、搬送ローラ１４５の回転駆動が停止させられた場合には、大径ディスク１１ｂの中心は、ターンテーブル３７の中心と略一致した状態となっている。また、搬送ローラ１４５の回転駆動が停止しても、ラックギヤ６８とピニオンギヤ１２５とは噛み合っているので、ローディングスライダ７０およびトリガスライダ６１はスライドを継続する。それにより、係合ピン８９が先端突起４７を手前側に押し、このためトリガアーム４０は回転を継続する。それによって、大径ディスク１１ｂの外周縁部から、トリガアーム４０のディスク係合部４３が離れる。
【０１４１】
また、ローラレバー部材１６が回動すると、該ローラレバー部材１６の搬送ローラ１４５の高さ位置が、下方側に向かって低下する。それによって、搬送ローラ１４５の上部に接触している大径ディスク１１ｂの高さ位置も下がり、大径ディスク１１ｂのチャッキングに適した高さ位置となる。
【０１４２】
また、ドライブアーム１００が回動すると、ローラレバー部材１６の回動の他に、図１２および図２１に示すように、ロックスライダ１５１およびリアロックアーム１９０がスライドする。このうち、ロックスライダ１５１は、ドライブアーム１００の図１２における反時計回りの回動によって、図１２および図１６中右側にスライドする。
【０１４３】
すなわち、ドライブアーム１００が図１２において時計回り（手前からかつ上側から見た場合は時計周り）に回動すると、この回動に伴なって、該ドライブアーム１００のスライダ用ピン１１１が図１２中右側（手前から見た場合は左側）に向かって回動する。このスライダ用ピン１１１は、貫通溝１５２に挿通しているので、かかる回動により、スライダ用ピン１１１は、貫通溝１５２の側壁を押すこととなる。それによって、ロックスライダ１５１は、図１２中右側に向かってスライドする（図１５（ｂ）参照）。
【０１４４】
そして、ロックスライダ１５１の図１２中の右側へのスライドによって、一対のロックアーム１６０ａ，１６０ｂが開いた状態（互いに離間している状態；図１５（ａ）参照）から、閉じた状態（互いに近接している状態；図１５（ｂ）参照）へと移行する。
【０１４５】
なお、ロックスライダ１５１の図１２中右側へのスライドによって、第１のロックアーム１６０ａが開いている状態から閉じる状態へ順次移行する様子は、図１６（ａ）〜（ｃ）に示される。また、第２のロックアーム１６０ｂが開いている状態から閉じる状態へ順次移行する様子は、図１７（ａ）〜（ｃ）に示される。
【０１４６】
ここで、上述したように、ロックアーム１６０ａ，１６０ｂが開いている状態では、該ロックアーム１６０ａ，１６０ｂの挟持部材１６４は、図１９（ａ）に示すように、インサート部１７１に挟持される。この挟持状態では、フローティング部材１５が、フローティングロック状態となっている。しかしながら、ロックアーム１６０ａ，１６０ｂが回動して、開いている状態から閉じている状態へと移行した場合には、図１９（ｂ）に示すように、挟持部材１６４はインサート部１７１での挟持状態が解除されて、フローティング状態となる。
【０１４７】
そして、かかるフローティング状態においては、フローティング部材１５が、アウターシャーシ部材１２に対してバネ２３やダンパ２１によって、弾性的に支持されて、外部衝撃を吸収可能となる。
【０１４８】
また、ドライブアーム１００が図２１において時計回り（図１２において反時計周り）に回動した場合、差込孔１９２と連結ピン１０８の嵌め込みによって連結されているリアロックアーム１９０が、図２１および図２２中右側に向かってスライドする。この場合、ドライブアーム１００が図２１および図２２中右側に向かってスライドすると、ロックピン１９４の上端は、舌片１９５への当接状態が解除される。かかる当接状態が解除されると、バネ２２の付勢力等によって、フローティング部材１５は持ち上げられた弾性支持状態となる。それによって、このフローティング部材１５に対して外部衝撃が加えられても、該衝撃を吸収可能となる。
【０１４９】
すなわち、ローディングスライダ７０がスライドすることによって、クランプレバー３０が下方に向かって押し下げられて、クランパ３５がターンテーブル３７に大径ディスク１１ｂをチャッキングする状態となる。また、ドライブアーム１００が回動することによって、搬送ローラ１４５が下方に向かって移動する。また、ドライブアーム１００の回動により、ロックアーム１６０およびリアロックアーム１９０のフローティングロック状態が解除される。それによって、以後は、この大径ディスク１１ｂを良好に再生することが可能となる。
【０１５０】
なお、ローディングスライダ７０が所定だけスライドすると、このローディングスライダ７０のスイッチ当接部７２が終了検出スイッチ９１に当接し、該終了検出スイッチ９１を押すこととなる。それによって、ローディングモータ１２０は、その作動が停止され、ローディングスライダ７０のスライドが停止させられる。それにより、他のドライブアーム１００や、ロックアーム１６０、リアロックアーム１９０、クランプレバー３０等の他の部材の動きも停止させられる。
【０１５１】
また、大径ディスク１１ｂをディスク再生装置１０の内部から外部に向かって排出する場合には、各機構は上述とは逆の動作を実行することとなる。すなわち、上述の場合とは逆向きにローディングモータ１２０が作動すると、該ローディングモータ１２０の駆動力は、ピニオンギヤ１２５およびラックギヤ６８に伝達される。このラックギヤ６８への駆動力の伝達により、トリガスライダ６１は、今度は奥側に向かって駆動させられる。
【０１５２】
すると、このトリガスライダ６１の奥側への引き込みによって、このトリガスライダ６１と連動バネ９０を介して連結されているローディングスライダ７０も奥側へ引き込まれる。そして、このローディングスライダ７０の奥側への引き込みによって、ドライブアーム１００も先程とは逆に回動する。そして、ピン係合部１０９が奥側に移動するにつれて、ローラレバー部材１６が不図示のバネによって回動され、ローラギヤ１３２と従動ギヤ１３１とが噛み合う状態となる。かかる噛み合いと共に、ローラレバー部材１６の回動用ピン１４７がディスク再生装置１０の奥側の初期位置に戻るよう、移動する。
【０１５３】
また、ローディングスライダ７０のディスク再生装置１０の奥側へ向けたスライドにより、該ローディングスライダ７０とピン１０７を介して連動するドライブアーム１００が、図２１において反時計回りに回動させられる。
【０１５４】
また、このドライブアーム１００の回動に伴なって、ロックスライダ１５１が図１２、図１５〜図１７中左側に向かってスライドする。それによって、ロックアーム１６０ａ，１６０ｂが閉じている状態から開いている状態へと移行し、ロックアーム１６０ａ，１６０ｂの挟持部材１６４がインサート部１７１に挟み込まれる（図１９（ａ）参照）。
【０１５５】
それによって、フローティング部材１５は、手前側において、フローティング状態からフローティングロック状態へと切り替えられる。同様に、リアロックアーム１９０も、図２１、図２２中左側に向かってスライドし、ロックピン１９４の上端が舌片１９５に当接する状態となる（図２２（ａ）参照）。それによって、フローティング部材１５は、奥側においても、フローティング状態からフローティングロック状態へと切り替えられる。
【０１５６】
ローディングスライダ７０が奥側にスライドすると、このスライドに伴なって、カム溝８６の内部を突出ピン３４が平行部８６ｃから急傾斜部８６ａに向けて移動する（図１０参照）。それによって、クランプレバー３０は、大径ディスク１１ｂから離間するように回動し、ディスク１１のチャッキングが解除される。この解除においては、上述のローラレバー部材１６の回動によって、大径ディスク１１ｂが持ち上げられることとなる。
【０１５７】
また、トリガスライダ６１が奥側にスライドすると、それに伴なってトリガアーム４０が図３において反時計回りに回動する。この場合、トリガアーム４０には、戻しバネ５７が連結されているので、かかる戻しバネ５７による付勢力の付加によって、先端突起４７と係合ピン８９との係合により戻りが規制されながら、トリガアーム４０は反時計回りに回動させられる。
【０１５８】
すなわち、大径ディスク１１ｂの排出に伴なって、該大径ディスク１１ｂの外周縁部に対してディスク係合部４３で係止しているトリガアーム４０も、手前側に向かうように反時計回りに回動する。以上のようにして大径ディスク１１ｂの搬入および排出が為される。
【０１５９】
次に、小径ディスク１１ａをディスク差込口１９から搬入する場合について説明する。なお、この小径ディスク１１ａに関して、上述の大径ディスク１１ｂの搬入の際の各部の動作と同一部分についての説明は省略する。
【０１６０】
まず、小径ディスク１１ａをディスク差込口１９（図１８参照）から差し込む。この場合も、上述の大径ディスク１１ｂの搬入の場合と同様に、小径ディスク１１ａがディスク再生装置１０の内部に搬入される。しかしながら、小径ディスク１１ａの外径（直径）は、大径ディスク１１ｂの外径よりも小さいため、図２０に示す第１の検出スライダ１８１ａおよび第２の検出スライダ１８１ｂが動作しても、検出スイッチ１８８Ａ〜１８８Ｄの全てを同時にオン作動させることはできない。すなわち、検出スイッチ１８８Ｃまたは検出スイッチ１８８Ｄの少なくとも一方が、オン作動されないままの状態となる。なお、通常は、検出スイッチ１８８Ａと検出スイッチ１８８Ｂがオン作動され、他の検出スイッチ１８８Ｃ，１８８Ｄはオン作動されない。
【０１６１】
ここで、小径ディスク１１ａが搬入される場合には、検出スイッチ１８８Ａと検出スイッチ１８８Ｃのみをオン作動させる場合（図２０（ｃ）参照）、または検出スイッチ１８８Ｂと検出スイッチ１８８Ｄのみをオン作動させる場合も存在する。すなわち、小径ディスク１１ａが、図２０における右側または左側のいずれか一方に偏った状態で搬入される場合も存在する。
【０１６２】
しかしながら、小径ディスク１１ａに上述のような偏りが生じた状態で搬入されると、この小径ディスク１１ａを適切に保持することができなくなってしまう。すなわち、小径ディスク１１ａが十分に搬入されて、搬送ローラ１４５から該小径ディスク１１ａが離間しようとする場合でも、該小径ディスク１１ａの外周縁部を、クランプ爪５０に適切に衝突させることができなくなってしまい、ディスク再生装置１０の内部に小径ディスク１１ａが落下する、といった不具合が生じる。
【０１６３】
このため、上述のように、検出スイッチ１８８Ａと検出スイッチ１８８Ｃのみをオン作動させる場合、または検出スイッチ１８８Ｂと検出スイッチ１８８Ｄのみをオン作動させる場合には、制御信号を受信した制御部２０５（図２４参照）は、小径ディスク１１ａの搬入をやめ、ローディングモータ１２０を逆回転させて該小径ディスク１１ａを排出させる。そして、少なくとも検出スイッチ１８８Ａと検出スイッチ１８８Ｂの両方がオン作動させられた場合のみに、搬送ローラ１４５の搬入のための駆動を継続させ、小径ディスク１１ａをディスク再生装置１０の内部に搬入させる。
【０１６４】
なお、この検出スイッチ１８８Ｃ，１８８Ｄの位置は、ディスクガイド部材１４の大径ディスクガイド部２７と対応する位置に設けられている。
【０１６５】
ここで、小径ディスク１１ａの搬入においては、大径ディスク１１ｂを搬入する場合と比較して、ディスクガイド部材１４の小径ディスクガイド部２８によって、該小径ディスク１１ａの搬入の先端部分は、クランプレバー３０側（上方側）に向かってガイドされる（図２（ｂ）参照）。それによって、小径ディスク１１ａの搬入が進行すると、この小径ディスク１１ａの先端部分が、クランプ爪５０の係止壁５３に衝突する（図５および図６参照）。また、小径ディスク１１ａの先端部分の下面側は、ディスク受け部５２によって受け止められる状態となる。すなわち、小径ディスク１１ａの先端部分が、クランプ爪５０によって保持された状態となる。
【０１６６】
この小径ディスク１１ａの先端の保持状態を継続したままで、該小径ディスク１１ａがさらにディスク再生装置１０の内部に搬入されると、この小径ディスク１１ａの先端によって係止壁５３が押し込まれて、トリガアーム４０が回動し、スライダ用突起４５がトリガスライダ６１の係合部６７に係合する（図５，図７および図９参照）。そして、スライダ用突起４５がトリガスライダ６１を手前側にスライドさせる。また、トリガスライダ６１の当接片６６が、ローディングスライダ７０の当接部７５に当接し、該ローディングスライダ７０を手前側にスライドさせる。
【０１６７】
そして、ローディングスライダ７０のスライドにより、図１０に示すように、カム溝８６の内部を突出ピン３４が摺動する。それにより、クランプレバー３０が降下する。ここで、クランプレバー３０が降下すると、クランパ３５が小径ディスク１１ａの上面に接触する。この接触は、小径ディスク１１ａの孔部１１ｃに、凸部が差し込まれるタイミングで行われる。また、孔部１１ｃに凸部が差し込まれる場合、孔部１１ｃ（小径ディスク１１ａ）の中心と、ターンテーブル３７の中心とが略一致した状態となっている。
【０１６８】
しかしながら、孔部１１ｃにクランパ３５の凸部が差し込まれるタイミングは、孔部１１ｃ（小径ディスク１１ａ）の中心と、ターンテーブル３７の中心とが略一致した状態でなくても良く、種々変更可能である。
【０１６９】
また、クランパ３５が回動して小径ディスク１１ａに接触する場合、回動支点３１からのクランプ爪５０までの距離と、回動支点３１からクランパ３５までの距離の相違により、クランプ爪５０側の下降距離の方が、クランパ３５の下降距離よりも小さいものとなる。しかも、クランパ３５によって、小径ディスク１１ａをクランプしたときに、クランプ爪５０のディスク受け部５２の上面は、クランプされた小径ディスク１１ａの下面より上方となるように設けられている。このため、小径ディスク１１ａがクランプされたとき、小径ディスク１１ａはディスク受け部５２に乗っている状態で、かつ先端側が少しだけ持ち上げられて撓むこととなる。
【０１７０】
しかしながら、クランプレバー３０の回動角度はさほど大きくないこと、およびディスク受け部５２の上面とクランプされたときの小径ディスク１１ａの下面との垂直方向の距離差を僅かなものとしている。このため、小径ディスク１１ａの撓みは、該小径ディスク１１ａを損傷させるものでもなく、またクランプ爪５０が外径側に移動し小径ディスク１１ａがディスク受け部５２から外れた場合に、小径ディスク１１ａを大きく振動させるものでもない。
【０１７１】
また、クランパ３５の小径ディスク１１ａへの接触、および小径ディスク１１ａのターンテーブル３７への接触とほぼ同時に、搬送ローラ１４５の回転が停止される。すなわち、図１４に示すように、ピン係合部１０９の回動用ピン１４７への係合により、ローラレバー部材１６が回動する。そして、小径ディスク１１ａの高さ位置が、このローラレバー部材１６の回動によって下げられ、小径ディスク１１ａはターンテーブル３７に近接していく。
【０１７２】
また、ローラレバー部材１６の回動により、従動ギヤ１３１とローラギヤ１３２との噛み合いが、上述の接触のタイミングとほぼ同時に解かれる（図１４（ｂ），（ｃ）参照）。そのため、孔部１１ｃ（小径ディスク１１ａ）の中心と、ターンテーブル３７の中心とが略一致した場合、搬送ローラ１４５はこれ以上回転駆動しなくなり、該小径ディスク１１ａのディスク再生装置１０の内部への搬入が停止される。
【０１７３】
しかしながら、搬送ローラ１４５の回転駆動が停止されても、トリガスライダ６１のスライドによって、ラックギヤ６８とピニオンギヤ１２５とが噛み合っている。しかも、従動ギヤ１３１とローラギヤ１３２との噛み合いが解かれた当初は、まだ終了検出スイッチ９０をスイッチ当接部７２が押し込んでいない。そのため、ローディングモータ１２０は作動を継続し、トリガスライダ６１およびローディングスライダ７０は手前側にスライドする。かかるスライドにより、係合ピン８９が先端突起４７を手前側に押し、それによってトリガアーム４０は図５において時計回りの回動を継続する。
【０１７４】
なお、搬送ローラ１４５の回転駆動が停止された場合でも、トリガスライダ６１がスライドすることで、図１１に示すように、ピン係合部１０９と回動用ピン１４７とが係合し、ドライブアーム１００はさらに回動される。そのため、さらにローラレバー部材１６が回動し、小径ディスク１１ａがターンテーブル３７に載置された後に、搬送ローラ１４５は、小径ディスク１１ａの裏面から離間する状態となる（図１４（ｃ）参照）。
【０１７５】
ここで、凸部が孔部１１ｃに差し込まれた当初は、ディスク受け部５２が小径ディスク１１ａの先端側の下面を受け止める状態となっている。しかも、クランプレバー３０が回動してクランパ３５が小径ディスク１１ａの上面に接触すると、小径ディスク１１ａは少しだけ撓んだ状態で、クランプ爪５０によって保持されている。しかしながら、トリガアーム４０の回動は上述のように継続されているため、ディスク受け部５２はすぐに小径ディスク１１ａの下面から外れ、該小径ディスク１１ａの外径側に逃げていく。
【０１７６】
そして、図３（ｂ）に示すように、ターンテーブル３７へ小径ディスク１１ａをチャッキングした場合に、ディスク受け部５２が小径ディスク１１ａに干渉しない位置までトリガアーム４０は回動する。そして、図７に示すように、スイッチ当接部７２が終了検出スイッチ９１を押し込むことで、小径ディスク１１ａの搬入動作が終了する。
【０１７７】
なお、小径ディスク１１ａをディスク再生装置１０の内部から外部に向けて排出する排出動作は、上述の大径ディスク１１ｂの排出動作と同様となっている。
【０１７８】
このような構成のディスク再生装置１０によれば、小径ディスク１１ａが内部に搬入された後クランプされるまでの間、クランプ爪５０によって、該小径ディスク１１ａの搬入の先端側を保持可能となる。そのため、従来のように小径ディスク１１ａの先端側が何ら支持されずクランプが安定しないということがなく、ディスク再生装置１０の内部に小径ディスク１１ａを安定的にクランプすることができる。
【０１７９】
また、小径ディスク１１ａをクランプ爪５０によって保持した場合でも、該小径ディスク１１ａの搬入に伴なってトリガアーム４０が回動する。そして、かかる回動によって、ラックギヤ６８とピニオンギヤ１２５とが噛み合い、以後はトリガアーム４０はローディングモータ１２０の駆動によって回動させられる。そのため、小径ディスク１１ａの裏面に接触しているクランプ爪５０を、小径ディスク１１ａに接触しない外径側に退避させることができる。また、かかる退避を行えば、以後は小径ディスク１１ａの再生を良好に行うことが可能となる。このように、ローディングエンドにおいても、搬送動力を切る必要がなく、部品点数の削減と信頼性の向上を図ることができる。
【０１８０】
また、クランプ爪５０を、トリガアーム４０に設けたことにより、このトリガアーム４０が回動することにより、小径ディスク１１ａの外径側に、簡単に退避させることができる。また、ディスクガイド部材１４に存在する大径ディスクガイド部２７の作用により、クランプ爪５０は、大径ディスク１１ｂとは接触しないように設けられている。このため、クランプ爪５０は、大径ディスク１１ｂの搬送の妨げとはならず、該大径ディスク１１ｂを小径ディスク１１ａよりもディスク再生装置１０の奥側まで良好に搬送させることができる。
【０１８１】
さらに、ローディングスライダ部材６０がスライドし、ドライブアーム１００が回動して、ピン係合部１０９によって回動用ピン１４７が押される。そして、小径ディスク１１ａの中心が、ターンテーブル３７の中心に差し掛かった場合に、ローラレバー部材１６を回動させて、駆動力の伝達を非伝達に切り替えるように構成することができる。このようにすれば、小径ディスク１１ａのクランパ３５によるチャッキングが好適なものとなる。また、カム部材８３（カム溝８６）の存在により、クランプレバー３０をターンテーブル３７側に向けて回動させることができ、クランパ３５によるチャッキングが良好なものとなる。
【０１８２】
また、ローラレバー部材１６の回動によって、駆動力の伝達を非伝達に切り替えた場合に、小径ディスク１１ａの中心を、ターンテーブル３７の中心と略一致させることができる。これと共に、この中心が一致するタイミングとほぼ同時に、クランパ３５によって小径ディスク１１ａをターンテーブル３７にクランプさせるようにすることもできる。このようにした場合には、小径ディスク１１ａの保持が不安定となることがなく、常に小径ディスク１１ａをクランプ爪５０やターンテーブル３７によって保持可能となる。
【０１８３】
さらに、クランプ爪５０は、ディスク当接部５４（係止壁５３）と、ディスク受け部５２とを有しているので、小径ディスク１１ａの外周縁部を確実に保持することができる。特に、ディスク当接部５４（係止壁５３）では、小径ディスク１１ａの外周縁部を受け止め、しかもディスク受け部５２では、小径ディスク１１ａの裏面を受け止める。このため、小径ディスク１１ａの外周縁部の保持は、一層確実なものとなっている。
【０１８４】
さらに、トリガアーム４０には、大径ディスク１１ｂが搬入された場合に、該大径ディスク１１ｂの搬入の先端側に係合するディスク係合部４３が設けられている。このため、大径ディスク１１ｂが搬入された場合でも、トリガアーム４０を良好に回動させることができる。それによって、トリガスライダ６１をスライドさせ、クランプレバー３０を大径ディスク１１ｂに向けて下降させて、該大径ディスク１１ｂのクランプを行うことができる。また、ローラレバー部材１６を回動させることができ、搬送ローラ１４５の回転駆動による駆動力の伝達状態を非伝達状態に切り替えることが可能となる。
【０１８５】
また、トリガスライダ６１およびローディングスライダ７０がスライドすることにより、ラックギヤ６８とピニオンギヤ１２５とが噛み合い可能な構成となる。このように構成することで、小径ディスク１１ａが規定位置まで搬入され、該小径ディスク１１ａがトリガアーム４０を押さなくなる場合でも、これらラックギヤ６８とピニオンギヤ１２５とが噛み合うことで、ローディングスライダ７０をスライドさせることができる。そして、ローディングスライダ７０に存在する係合ピン８９と先端突起４７との係合により、トリガアーム４０を良好に回動させることができる。
【０１８６】
さらに、クランプ爪５０は、トリガアーム４０に設けられていて、しかも他に小径ディスク１１ａの先端部分保持のための部品は存在していない。このため、簡易にクランプ爪５０を設けるという簡易な構成でありながら、該小径ディスク１１ａを良好に保持することができる。また、簡易な構成であるため、機構的に複雑な場合と比較して、繰り返し何度使用しても動作に不具合が生じる可能性が低く、メカ的な信頼性が向上する。また、部品点数を少なくすることができ、コストの増加を抑えることが可能となる。
【０１８７】
以上、本発明の一実施の形態について説明したが、本発明はこれ以外にも種々変形可能となっている。以下、それについて述べる。
【０１８８】
上述の実施の形態においては、先端保持手段として、クランプ爪５０を用いた場合について説明している。しかしながら、先端保持手段としては、上述したクランプ爪５０以外に、例えば小径ディスク１１ａの下方（裏面）のみを受け止めるものであっても良い。また、上述の実施の形態では、クランプ爪５０は、トリガアーム４０から延出しているが、該トリガアーム４０のように小径ディスク１１ａの外径側に退避可能な構成であれば、かかるトリガアーム４０以外の部材に、クランプ爪５０を設けるようにしても良い。
【０１８９】
また、クランプ爪５０は、トリガアーム４０に固定した状態で設けられているが、ディスク受け部５２を弾性的に上下動可能にして、トリガアーム４０に設置しても良い。その場合、ディスク受け部５２の奥側を支点として、手前側が上下方向に回動可能に設けるのが好ましい。また、上述の実施の形態では、小径ディスク１１ａのチャッキングが為された以後に、クランプ爪５０が小径ディスク１１ａの保持を解除するようにしている。しかしながら、チャッキングが為される直前に解除するようにしても良い。
【０１９０】
また、上述の実施の形態においては、ディスク搬送機構としては、回転軸１４０を中心として回転するローラレバー部材１６（搬送ローラ１４５）を用いた場合について説明している。しかしながら、ローラレバー部材１６（搬送ローラ１４５）は、かかる構成には限られず、レール等の昇降ガイドによって搬送ローラ１４５が上下動し、ディスク１１から離れるもの等、種々のものが適用可能である。
【０１９１】
さらに、上述の実施の形態では、ディスクガイド手段として、ディスクガイド部材１４を用いる場合について説明している。しかしながら、ディスクガイド手段はこれには限られず、ディスク径の検知結果に基づいてガイド板を上下させるもの等、種々のものが適用可能である。また、回動部材としては、アーム状のトリガアーム４０以外に、例えば円盤状部材等、種々のものを適用可能である。
【０１９２】
また、スライド用駆動伝達手段としては、ラックギヤ６８とピニオンギヤ１２５との噛み合い以外に、例えば回転式のカム機構を利用して駆動の伝達および非伝達を切り替えるようにしても良い。また、カム機構としてのカム部材８３は、別途ローラレバー部材１６の回動をもさせるスライダに設けるようにして、第２のカム機構としてのドライブアーム１００、回動用ピン１４７等と一体化を図るようにしても良い。
【０１９３】
また、上述の実施の形態では、ディスク１１としては、円盤状のものについて説明している。しかしながら、ディスク１１としては、円盤状のものには限られず、例えば名刺型のものや、地図型のもの等、種々のタイプのディスクに本発明を適用しても良い。
【０１９４】
また、大径ディスク１１ｂが当接するディスク係合部４３をクランプ爪５０と同様な構成とし、ディスク受け部５２を形成しても良い。このようにすると、大径ディスク１１ｂのクランプも安定する。この場合、大径ディスク１１ｂがクランプされた後に、ディスク受け部５２でのクランプを解除するように動作させる必要がある。
【０１９５】
【発明の効果】
以上説明したように、本発明によると、簡易な構成で小径ディスクを安定的にクランプできる。また、小径ディスクのクランプの信頼性も高いものとなる。
【図面の簡単な説明】
【図１】本発明の一実施の形態に係るディスク再生装置の構成を示す分解斜視図である。
【図２】図１のディスク再生装置において、ディスクガイド部の構成を示す側断面図であり、（ａ）は大径ディスクガイド部を有する部分の側断面図を示し、（ｂ）は小径ディスクガイド部を有する部分の側断面図を示す。
【図３】図１のディスク再生装置において、クランプレバーの形状を示す平面図であり、（ａ）はトリガアームが初期位置にある状態を示し、（ｂ）はトリガアームがディスクによって奥側に押された状態を示す。
【図４】図１のディスク再生装置において、クランプレバーと大径ディスクおよびローラレバー部材との位置関係を示す側面図であり、（ａ）は大径ディスクをチャッキングする前の状態を示し、（ｂ）は大径ディスクをチャッキングした後の様子を示す。
【図５】図１のディスク再生装置において、トリガアームのクランプ爪、大径ディスクおよびローディングスライダ部材の係合関係を示す分解斜視図である。
【図６】図１のディスク再生装置において、トリガアームに設けられているクランプ爪および小径ディスクを示す側断面図である。
【図７】図１のディスク再生装置において、クランプレバーおよびトリガアーム、ローディングスライダ部材、ローディングモータ、ドライブアーム、およびローラレバー部材の係合関係を示す分解斜視図である。
【図８】図１のディスク再生装置において、ローディングスライダ部材の構成を示す背面側から見た分解斜視図である。
【図９】図１のディスク再生装置において、ローディングスライダ部材のスライドの前後の様子を下方側から見た図であり、（ａ）はスライダ用突起によってトリガスライダが押された直後を示し、（ｂ）は当接片がローディングすらいだに係合したときの様子を示す。
【図１０】図１のディスク再生装置において、カム溝に対して突出ピンが摺動することで、クランプレバーが回動する様子を示す側面図であり、（ａ）は突出ピンがピン受部にあるときを示し、（ｂ）は突出ピンが急傾斜部にあるときを示し、（ｃ）は突出ピンが平行部にあるときを示す。
【図１１】図１のディスク再生装置において、ドライブアームの回動による回動用ピンのスライドの様子を下方側から見た図であり、（ａ）はドライブアームが回動する前を示し、（ｂ）はドライブアームが回動して回動用ピンがスライドしたときを示し、（ｃ）はドライブアームが一層回動して回動用ピンがさらにスライドしたときを示す。
【図１２】図１のディスク再生装置において、フロント側メカロック機構およびリアロックアームを駆動させるための構成を示す図で、下方側から見た図である。
【図１３】図１のディスク再生装置において、検出スライダ、ローラレバー部材およびローディングモータの位置関係を示す分解斜視図である。
【図１４】図１のディスク再生装置において、ローラレバー部材の回動の様子を示す側面図であり、（ａ）はローラレバー部材が回動する前を示し、（ｂ）はローラレバー部材の回動によりローラギヤと従動ギヤとの噛み合いが解かれたときを示し、（ｃ）はローラレバー部材がディスクの裏面と離れる位置まで回動したときを示す。
【図１５】図１のディスク再生装置において、ドライブアームの回動によるロックアームの開閉の様子を示す下方側から見た図であり、（ａ）はドライブアームが回動する前でロックアームが開いている状態を示し、（ｂ）はドライブアームが回動してロックアームが閉じている状態を示すものである。
【図１６】図１のディスク再生装置において、ロックスライダのスライドによる第１のロックアームの回動の様子を示す下方側から見た図であり、（ａ）はロックスライダがスライドする前を示し、（ｂ）はロックスライダが所定だけ回動して第１のロックアームが閉じ始めたときを示し、（ｃ）はロックスライダがさらにスライドして第１のロックアームが閉じたときを示す。
【図１７】図１のディスク再生装置において、ロックスライダのスライドによる第２のロックアームの回動の様子を示す下方側から見た図であり、（ａ）はロックスライダがスライドする前を示し、（ｂ）はロックスライダが所定だけ回動して第２のロックアームが閉じ始めたときを示し、（ｃ）はロックスライダがさらにスライドして第２のロックアームが閉じたときを示す。
【図１８】図１のディスク再生装置において、フロント側メカロック機構とアウターシャーシおよびフローティング部材との位置関係を示す分解斜視図である。
【図１９】図１のディスク再生装置において、固定板バネによる挟持部材の挟持の様子を示す正面図であり、（ａ）は挟持部材が固定板バネに挟持されている状態を示し、（ｂ）は挟持部材が固定板バネに挟持されていない状態を示す。
【図２０】図１のディスク再生装置において、ディスク径検出機構の構成を示す平面図であり、（ａ）は検出スライダが閉じている初期状態を示し、（ｂ）は大径ディスクの挿入し始めの様子を示し、（ｃ）は小径ディスクが左側に偏って挿入されている状態を示す。
【図２１】図１のディスク再生装置において、ドライブアームおよびリアロックアームのアウターシャーシ部材およびフローティング部材に対する位置関係を示す分解斜視図である。
【図２２】図１のディスク再生装置において、ロックピンと舌片部との位置関係を示す側断面図であり、（ａ）はロックピンが舌片部に当接している状態を示し、（ｂ）はロックピンが舌片部から離れている状態を示す。
【図２３】図１のディスク再生装置において、メインシャーシに取り付けられる各種部材を示す分解斜視図である。
【図２４】図１のディスク再生装置において、制御部と各検出スイッチおよび各モータとの接続関係を示すブロック図である。
【図２５】従来のディスク再生装置において、位置決めピンを外径側に逃がすことが可能なタイプを示すものであり、（ａ）は小径ディスクが挿入された場合を示し、（ｂ）は大径ディスクが挿入された場合を示す。
【図２６】従来のディスク再生装置において、クランプレバーの回動により位置決めピンを上方へ逃がすことが可能なタイプを示すものであり、（ａ）は小径ディスクが挿入された場合においてクランプレバーが回動する前の状態を示し、（ｂ）は小径ディスクが挿入された場合においてクランプレバーが回動した後の状態を示す。
【図２７】従来のディスク再生装置において、クランプレバーの回動により位置決めピンを上方へ逃がすことが可能なタイプを示すものであり、（ａ）は大径ディスクが挿入された場合においてクランプレバーが回動する前の状態を示し、（ｂ）は大径ディスクが挿入された場合においてクランプレバーが回動した後の状態を示す。
【符号の説明】
１０…ディスク再生装置
１１…ディスク
１１ａ…小径ディスク
１１ｂ…大径ディスク
１２…アウターシャーシ部材
１４…ディスクガイド部材（ディスクガイド手段）
１５…フローティング部材
１６…ローラレバー部材（ディスク搬送機構の一部）
１８…メインシャーシ
１９…ディスク差込口
２０ａ，２０ｂ…側壁
３０…クランプレバー
３４…突出ピン（カム機構の一部）
３５…クランパ
３６…湾曲孔
４０…トリガアーム（回動部材）
４１…第１の揺動部
４２…第２の揺動部
４３…ディスク係合部
４５…スライダ用突起
４７…先端突起
５０…クランプ爪（先端保持手段）
５２…ディスク受け部
５３…係止壁
５４…ディスク当接部
６０…ローディングスライダ部材（スライド部材）
６１…トリガスライダ
６６…当接片
６７…係合部
６８…ラックギヤ（スライド用駆動伝達手段の一部）
７０…ローディングスライダ
７３…プレート部
７５…当接部
７９…カム溝部
８３…カム部材（カム機構の一部）
８６…カム溝
１００…ドライブアーム（第２のカム機構の一部）
１２０…ローディングモータ（ディスク搬送機構の一部）
１２２…ギヤ輪列（スライド用駆動伝達手段の一部）
１２５…ピニオンギヤ（スライド用駆動伝達手段の一部）
１３１…従動ギヤ（ディスク搬送機構の一部、駆動力伝達切替機構の一部）
１３２…ローラギヤ（ディスク搬送機構の一部、駆動力伝達切替機構の一部）
１４０…回転軸（ディスク搬送機構の一部）
１４１…ローラ支持体（ディスク搬送機構の一部）
１４５…搬送ローラ（ディスク搬送機構の一部）
１４７…回動用ピン（第２のカム機構の一部）
１５１…ロックスライダ
１６０…ロックアーム
１８０…ディスク径検出機構
１９０…リアロックアーム
１９４…ロックピン
２０５…制御部
【図１】
2004272985.tif 000003
【図２】
2004272985.tif 000004
【図３】
2004272985.tif 000005
【図４】
2004272985.tif 000006
【図５】
2004272985.tif 000007
【図６】
2004272985.tif 000008
【図７】
2004272985.tif 000009
【図８】
2004272985.tif 000010
【図９】
2004272985.tif 000011
【図１０】
2004272985.tif 000012
【図１１】
2004272985.tif 000013
【図１２】
2004272985.tif 000014
【図１３】
2004272985.tif 000015
【図１４】
2004272985.tif 000016
【図１５】
2004272985.tif 000017
【図１６】
2004272985.tif 000018
【図１７】
2004272985.tif 000019
【図１８】
2004272985.tif 000020
【図１９】
2004272985.tif 000021
【図２０】
2004272985.tif 000022
【図２１】
2004272985.tif 000023
【図２２】
2004272985.tif 000024
【図２３】
2004272985.tif 000025
【図２４】
2004272985.tif 000026
【図２５】
2004272985.tif 000027
【図２６】
2004272985.tif 000028
【図２７】
2004272985.tif 000029